(57)【要約】  印刷媒体の測定を行う方法および装置を開示する。実施形態の装置は、印刷媒体の第１リーフレットの第１位置に接着する第１の無線識別（ＲＦＩＤ）タグと、印刷媒体の第２リーフレットの第２位置に接着する第２のＲＦＩＤタグとを含み、第１位置と第２位置とはほぼ同位置であり、装置はさらに印刷媒体の第３リーフレットに接着する第１のＲＦＩＤアブソーバを含み、印刷媒体が第１リーフレットと第３リーフレットとを露出するように配置されると第２のＲＦＩＤタグが不活性となり、印刷媒体が第２リーフレットと第３リーフレットとを露出するように配置されると第１のＲＦＩＤタグが不活性となる。
2009507301.tif 000002
【特許請求の範囲】
【請求項１】
装置であって、
印刷媒体の第１リーフレットの第１位置に接着する第１の無線識別（ＲＦＩＤ）タグと、
前記印刷媒体の第２リーフレットの第２位置に接着する第２の無線識別タグとを含み、前記第１位置と前記第２位置とはほぼ同位置であり、前記装置はさらに、
前記印刷媒体が前記第１リーフレットと前記第３リーフレットとを露出するように配置されると、前記第２のＲＦＩＤタグが不活性となるよう、さらに、前記印刷媒体が前記第２リーフレットと前記第３リーフレットとを露出するように配置されると、前記第１のＲＦＩＤタグが不活性となるよう、前記印刷媒体の第３リーフレットの第３位置に接着する第１のＲＦＩＤアブソーバを含む装置。
【請求項２】
請求項１に記載の装置であって、前記第１のＲＦＩＤタグおよび前記第２のＲＦＩＤタグと通信するモニター装置をさらに含む装置。
【請求項３】
請求項１に記載の装置であって、第４のリーフレットに接着する第３のＲＦＩＤタグをさらに含み、前記第１のアブソーバは前記第３のＲＦＩＤタグを不活性化しないようにする装置。
【請求項４】
請求項３に記載の装置であって、前記印刷媒体が前記第４リーフレットと前記第５リーフレットとを露出するように配置されると、前記第３のＲＦＩＤタグが活性となるよう、さらに、前記第２のＲＦＩＤアブソーバが前記第１のＲＦＩＤタグおよび前記第２のＲＦＩＤタグを不活性化できないよう、前記印刷媒体の第５リーフレットの第４位置に接着する第２のＲＦＩＤアブソーバをさらに含む装置。
【請求項５】
請求項３に記載の装置であって、前記第１および第２のＲＦＩＤタグと前記第１のＲＦＩＤアブソーバとは前記印刷媒体の第１ゾーン内に配置され、前記第３のＲＦＩＤタグは前記印刷媒体の第２ゾーン内に配置される装置。
【請求項６】
請求項１に記載の装置であって、前記第１のＲＦＩＤアブソーバが前記第３のＲＦＩＤタグを不活性化できないよう前記印刷媒体の前記第２リーフレットに接着する第３のＲＦＩＤタグをさらに含む装置。
【請求項７】
請求項６に記載の装置であって、前記印刷媒体が前記第２リーフレットと前記第４リーフレットとを露出するように配置されると、前記第３のＲＦＩＤタグが活性となるよう、さらに、前記第２のＲＦＩＤアブソーバが前記第１のＲＦＩＤタグおよび前記第２のＲＦＩＤタグを不活性化しないよう、前記印刷媒体の第４リーフレットの第４位置に接着する第２のＲＦＩＤアブソーバをさらに含む装置。
【請求項８】
請求項６に記載の装置において、前記第１のＲＦＩＤタグと前記第２のＲＦＩＤタグとは前記印刷媒体の第１ゾーン内に配置され、前記第３のＲＦＩＤタグは前記印刷媒体の第２ゾーン内に配置される装置。
【請求項９】
請求項１に記載の装置において、前記第１のＲＦＩＤタグは前記第１リーフレットの前面に接着される装置。
【請求項１０】
請求項１に記載の装置において、前記第１のＲＦＩＤアブソーバは前記第３のリーフレット前面に接着される装置。
【請求項１１】
請求項１に記載の装置において、前記第１のＲＦＩＤタグは、印刷可能な上面と接着性の底面とを有するほぼ平坦なパッケージを含み、前記パッケージはさらに、
アンテナと、
識別子と、
ＲＦＩＤ回路とを含む装置。
【請求項１２】
請求項１に記載の装置において、前記第１のＲＦＩＤアブソーバは、前記第３リーフレット上に印刷される導電インクを覆う紙ラベル、または前記第３リーフレットに接着される金属箔の少なくとも一方を含む装置。
【請求項１３】
請求項１に記載の装置において、前記モニター装置は前記印刷媒体の取り外し可能部分である装置。
【請求項１４】
請求項１に記載の装置において、前記印刷媒体は、雑誌、書籍、定期刊行物、新聞、パンフレット、チラシ、またはニュースレターのうちの少なくとも１つである装置。
【請求項１５】
印刷媒体の測定を行う方法であって、
前記印刷媒体の第１リーフレット上に第１の無線識別（ＲＦＩＤ）タグを配置するステップを含み、前記第１のＲＦＩＤタグは前記第１リーフレットの第１位置に配置され、前記方法はさらに、
前記印刷媒体の第２リーフレット上に第２のＲＦＩＤタグを配置するステップを含み、前記第２のＲＦＩＤタグは前記第２リーフレットの第２位置に配置され、前記第１位置と前記第２位置とはほぼ同位置であり、前記方法はさらに、
前記印刷媒体の第３リーフレット上に第１のＲＦＩＤアブソーバを配置するステップを含み、前記印刷媒体が前記第１リーフレットと前記第３リーフレットとを露出するように開かれると、前記第２のＲＦＩＤタグが不活性となるよう、さらに、前記印刷媒体が前記第２リーフレットと前記第３リーフレットとを露出するように開かれると、前記第１のＲＦＩＤタグが不活性となるよう、前記第１のＲＦＩＤアブソーバが前記第３リーフレット上の第３位置に配置される方法。
【請求項１６】
請求項１５に記載の方法であって、前記第１のＲＦＩＤタグまたは前記第２のＲＦＩＤタグの少なくとも一方が活性で前記印刷媒体の閲覧を判定できる場合に、前記第１およびのＲＦＩＤタグまたは前記第２のＲＦＩＤタグの少なくとも一方と通信するモニター装置を設けるステップをさらに含む方法。
【請求項１７】
請求項１５に記載の方法であって、前記印刷媒体の第４リーフレット上に第３のＲＩＦＤタグを設けるステップをさらに含み、前記第１のＲＦＩＤアブソーバが前記第３のＲＦＩＤタグを不活性化しないよう前記第３のＲＦＩＤタグが前記第４リーフレット上に配置される方法。
【請求項１８】
請求項１７に記載の方法であって、前記印刷媒体の第５リーフレット上に第２のＲＦＩＤアブソーバを配置するステップをさらに含み、前記印刷媒体が前記第４リーフレットと前記第５リーフレットとを露出するように開かれると、前記第３のＲＦＩＤタグが活性となるよう、さらに、前記第２のＲＦＩＤアブソーバが前記第１のＲＦＩＤタグと前記第２のＲＦＩＤタグとを不活性化できないよう、前記第２のＲＦＩＤアブソーバが前記第５リーフレットの第４位置に配置される方法。
【請求項１９】
請求項１５に記載の方法であって、前記印刷媒体の前記第２リーフレット上に第３のＲＦＩＤタグを配置するステップをさらに含み、前記第１のＲＦＩＤアブソーバが前記第３のＲＦＩＤタグを不活性化できないよう前記第３のＲＦＩＤタグが前記第２リーフレット上に配置される方法。
【請求項２０】
請求項１９に記載の方法であって、前記印刷媒体の前記第４リーフレット上に第２のＲＦＩＤアブソーバを配置するステップをさらに含み、前記印刷媒体が前記第２リーフレットと前記第４リーフレットとを露出するように開かれると、前記第３のＲＦＩＤタグが活性となるよう、さらに、前記第２のＲＦＩＤアブソーバが前記第１のＲＦＩＤタグおよび前記第２のＲＦＩＤタグを不活性化しないよう、前記第２のＲＦＩＤアブソーバが前記第４リーフレットの第４位置に配置される方法。
【請求項２１】
請求項１５に記載の方法において、前記第１のＲＦＩＤタグは、印刷可能な上面と接着性の底面とを有するほぼ平坦なパッケージを含み、前記パッケージは、
アンテナと、
識別子と、
ＲＦＩＤ回路とを含む方法。
【請求項２２】
請求項１５に記載の方法において、前記第１のＲＦＩＤアブソーバは、前記第３リーフレット上に印刷される導電インクを覆う紙ラベル、または前記第３リーフレットに接着される金属箔の少なくとも一方を含む方法。
【請求項２３】
請求項１５に記載の方法において、前記モニター装置は前記印刷媒体の取り外し可能な部分である方法。
【請求項２４】
機械可読命令を記憶する製造物であって、前記機械可読命令が実行されると、機械は、
印刷媒体の第１リーフレットに第１の無線識別（ＲＦＩＤ）タグを配置し、前記第１のＲＦＩＤタグは前記第１リーフレットの第１位置に配置され、さらに、
前記印刷媒体の第２リーフレットに第２のＲＦＩＤタグを配置し、前記第２のＲＦＩＤタグは前記第２リーフレットの第２位置に配置され、前記第１位置と前記第２位置とはほぼ同位置であり、さらに、
前記印刷媒体の第３リーフレット上に第１のＲＦＩＤアブソーバを配置し、前記印刷媒体が前記第１リーフレットと前記第３リーフレットとを露出するように開かれると、前記第２のＲＦＩＤタグが不活性となるよう、さらに、前記印刷媒体が前記第２リーフレットと前記第３リーフレットとを露出するように開かれると、前記第１のＲＦＩＤタグが不活性となるよう、前記第１のＲＦＩＤアブソーバが前記第３リーフレットの第３位置に配置される製造物。
【請求項２５】
請求項２４に記載の製造物において、前記機械可読命令が実行されると、前記機械は前記印刷媒体の第４リーフレット上に第３のＲＦＩＤタグを配置し、前記第１のＲＦＩＤアブソーバが前記第３のＲＦＩＤタグを不活性化しないよう前記第３のＲＦＩＤタグは前記第４リーフレット上に配置される製造物。
【請求項２６】
請求項２５に記載の製造物において、前記機械可読命令が実行されると、前記機械は前記印刷媒体の第５リーフレット上に第２のＲＦＩＤアブソーバを配置し、前記印刷媒体が前記第４リーフレットと前記第５リーフレットとを露出するように開かれると、前記第３のＲＦＩＤタグが活性となるよう、さらに、前記第２のＲＦＩＤアブソーバが前記第１のＲＦＩＤタグおよび前記第２のＲＦＩＤタグを不活性化できないよう、前記第２のＲＦＩＤアブソーバが前記第５リーフレットの第４位置に配置される製造物。
【請求項２７】
請求項２４に記載の製造物において、前記機械可読命令が実行されると、前記機械は前記印刷媒体の前記第２リーフレット上に第３のＲＦＩＤタグを配置し、前記第１のＲＦＩＤアブソーバが前記第３のＲＦＩＤタグを不活性化できないよう前記第３のＲＦＩＤタグは前記第２リーフレット上に配置される製造物。
【請求項２８】
請求項２７に記載の製造物において、前記機械可読命令が実行されると、前記機械は前記印刷媒体の第４リーフレット上に第２のＲＦＩＤアブソーバを接着して配置し、前記印刷媒体が前記第２リーフレットと前記第４リーフレットとを露出するように開かれると、前記第３のＲＦＩＤタグが活性となるよう、さらに、前記第２のＲＦＩＤアブソーバが前記第１のＲＦＩＤタグおよび前記第２のＲＦＩＤタグを不活性化しないよう、前記第２のＲＦＩＤアブソーバが前記第４リーフレットの第４位置に配置される製造物。
【請求項２９】
請求項２４に記載の製造物において、前記第１のＲＦＩＤタグは、印刷可能な上面と接着性の底面とを有するほぼ平坦なパッケージを含み、前記パッケージは、
アンテナと、
識別子と、
ＲＦＩＤ回路とをさらに含む製造物。
【請求項３０】
請求項２４に記載の製造物において、前記第１のＲＦＩＤアブソーバは、前記第３リーフレット上に印刷される導電インクを覆う紙ラベル、または前記第３リーフレットに接着される金属箔の少なくとも一方を含む製造物。
【請求項３１】
請求項２４に記載の製造物において、前記モニター装置は印刷媒体の取り外し可能な部分である製造物。
【請求項３２】
印刷媒体の第１リーフレットに取り付けるタグと、
前記印刷媒体内に配置するモニター装置とを含む装置であって、前記モニター装置は前記タグに通信可能に接続される、装置。
【請求項３３】
請求項３２に記載の装置において、前記モニター装置は前記印刷媒体上に印刷される導電トレースを介して前記タグと通信可能に接続される装置。
【請求項３４】
請求項３２に記載の装置において、前記モニター装置は前記印刷媒体上の取り外し可能部分に取り付けられる装置。
【請求項３５】
請求項３４に記載の装置において、前記取り外し可能部分は孔によって規定され、前記取り外し可能部分はカードを含む装置。
【請求項３６】
請求項３５に記載の装置において、前記カードには宛先住所と前納郵便料金が印刷される装置。
【請求項３７】
請求項３２に記載の装置において、前記タグは無線識別（ＲＦＩＤ）装置である装置。
【請求項３８】
請求項３７に記載の装置であって、前記印刷媒体の第２リーフレットに接着して、前記第２リーフレットが前記第１リーフレットに重なると前記ＲＦＩＤタグを阻止するＲＦＩＤアブソーバをさらに含む装置。
【請求項３９】
請求項３７に記載の装置において、前記ＲＦＩＤタグは、印刷可能な上面と接着性の底面とを有するほぼ平坦なパッケージを含み、前記パッケージは、
アンテナと、
識別子と、
ＲＦＩＤ回路とをさらに含む装置。
【請求項４０】
請求項３７に記載の装置において、前記ＲＦＩＤタグはさらに、前記ＲＦＩＤタグが光源に露出すると前記ＲＦＩＤ回路の動作を可能化する感光性装置を含む装置。
【請求項４１】
請求項３２に記載の装置において、前記タグは、
前記モニター装置と通信する回路と、
印刷可能な上面と接着性の底面とを有するほぼ平坦なパッケージとを含み、前記接着性の底面は前記回路のインターフェースを前記導電トレースに接続する装置。
【請求項４２】
請求項４１に記載の装置において、前記タグは、前記タグが光源に露出すると前記回路の動作を可能化する感光性装置をさらに含む装置。
【請求項４３】
請求項３２に記載の装置であって、前記印刷媒体の第２リーフレットに取り付けるアブソーバをさらに含み、前記アブソーバは、前記第２リーフレットが前記第１リーフレットに重なると前記タグの動作を阻止する装置。
【請求項４４】
請求項３２に記載の装置において、前記印刷媒体は、雑誌、書籍、定期刊行物、新聞、パンフレット、チラシ、もしくはニュースレターのうちの少なくとも１つである装置。
【請求項４５】
印刷媒体の測定を行う方法であって、
前記印刷媒体の第１リーフレットにタグを接着するステップと、
前記印刷媒体内に取り外し可能なモニター装置を設置して前記タグと通信させるステップとを含む、方法。
【請求項４６】
請求項４５に記載の方法であって、前記印刷媒体上に導電トレースを印刷して、前記モニター装置を前記タグに通信可能に接続するステップをさらに含む方法。
【請求項４７】
請求項４５に記載の方法において、前記モニター装置は前記印刷媒体の取り外し可能部分に取り付けられる方法。
【請求項４８】
請求項４７に記載の方法において、前記取り外し可能部分は孔によって規定され、前記取り外し可能部分はカードを含む方法。
【請求項４９】
請求項４７に記載の方法において、前記取り外し可能部分には宛先住所と前納郵便料金とが印刷される方法。
【請求項５０】
請求項４５に記載の方法において、前記タグは無線識別（ＲＦＩＤ）装置である方法。
【請求項５１】
請求項５０に記載の方法であって、前記印刷媒体の第２リーフレットにＲＦＩＤアブソーバを取り付けて、前記第２リーフレットが前記第１リーフレットに重なると前記ＲＦＩＤタグの動作を阻止するステップをさらに含む方法。
【請求項５２】
請求項５０に記載の方法において、前記ＲＦＩＤタグは印刷可能な上面を有するほぼ平坦なパッケージを含み、前記パッケージは、
アンテナと、
識別子と、
ＲＦＩＤ回路とをさらに含む方法。
【請求項５３】
請求項５２に記載の方法において、前記ＲＦＩＤタグは、前記ＲＦＩＤタグが光源に露出すると前記ＲＦＩＤ回路の動作を可能化する感光性装置をさらに含む方法。
【請求項５４】
請求項４５に記載の方法において、前記タグは、
前記モニター装置と通信する回路と、
印刷可能な上面と接着性の底面とを有するほぼ平坦なパッケージとを含み、前記接着性の底面は前記回路のインターフェースを前記導電トレースに接続する方法。
【請求項５５】
請求項５４に記載の方法において、前記タグは、前記タグが光源に露出すると前記回路の動作を可能化する感光性装置をさらに含む方法。
【請求項５６】
請求項４５に記載の方法であって、前記印刷媒体の第２リーフレットにアブソーバを接着するステップをさらに含み、前記アブソーバは、前記第２リーフレットが前記第１リーフレットに重なると前記タグの動作を阻止する方法。
【請求項５７】
機械可読命令を記憶する製造物であって、前記機械可読命令が実行されると、機械は、
前記印刷媒体の第１リーフレットにタグを接着し、
前記印刷媒体内に取り外し可能なモニター装置を設置して前記タグと通信する、製造物。
【請求項５８】
請求項５７に記載の製造物において、前記機械可読命令が実行されると、前記機械は前記印刷媒体上に導電トレースを印刷して、前記モニター装置を前記タグに通信可能に接続する製造物。
【請求項５９】
請求項５７に記載の製造物において、前記機械可読命令が実行されると、機械は前記モニター装置を前記印刷媒体の取り外し可能部分に取り付ける製造物。
【請求項６０】
請求項５９に記載の製造物において、前記機械可読命令が実行されると、機械は前記取り外し可能部分を孔によって規定し、前記取り外し可能部分はカードを含む製造物。
【請求項６１】
請求項６０に記載の製造物において、前記機械可読命令が実行されると、機械は前記カードに宛先住所と前納郵便料金とを印刷する製造物。
【請求項６２】
請求項５７に記載の製造物において、前記タグは無線周波数識別（ＲＦＩＤ）装置である製造物。
【請求項６３】
請求項６２に記載の製造物において、前記機械可読命令が実行されると、前記機械は前記印刷媒体の第２リーフレットにＲＦＩＤアブソーバを取り付けて、前記第２リーフレットが前記第１リーフレットに重なると、前記ＲＦＩＤタグの動作を阻止する製造物。
【請求項６４】
請求項６２に記載の製造物において、前記ＲＦＩＤタグは印刷可能な上面を有するほぼ平坦なパッケージを含み、前記パッケージは、
アンテナと、
識別子と、
ＲＦＩＤ回路とをさらに含む製造物。
【請求項６５】
請求項６４に記載の製造物において、前記ＲＦＩＤタグは、前記ＲＦＩＤタグが光源に露出すると前記ＲＦＩＤ回路の動作を可能化する感光性装置をさらに含む製造物。
【請求項６６】
請求項５７に記載の製造物において、前記タグは、
前記モニター装置と通信する回路と、
印刷可能な上面と接着性の底面とを有するほぼ平坦なパッケージとを含み、前記接着性の底面は前記回路のインターフェースを前記導電トレースに接続する製造物。
【請求項６７】
請求項６６に記載の製造物であって、前記タグは、前記タグが光源に露出すると前記回路の動作を可能化する感光性装置をさらに含む製造物。
【請求項６８】
請求項５７に記載の製造物において、前記機械可読命令が実行されると、前記機械は前記印刷媒体の第２リーフレットにアブソーバを接着させ、前記アブソーバは前記第２リーフレットが前記第１リーフレットに重なると前記タグの動作を阻止する製造物。
【請求項６９】
印刷媒体とともに使用する光学モニター装置であって、
前記印刷媒体のページの閲覧を記録する光センサと、
前記光センサを前記印刷媒体に取り外し可能に設置する機械的ファスナ（緊締具）とを含む、装置。
【請求項７０】
請求項６９に記載の光学モニター装置において、前記機械的ファスナは前記印刷媒体の背または綴じ部の少なくともいずれかに取り付けられる装置。
【請求項７１】
請求項６９に記載の光学モニター装置において、前記機械的ファスナはフォークまたはクリップの少なくとも一方を含む装置。
【請求項７２】
請求項７１に記載の光学モニター装置において、前記フォークまたはクリップの少なくとも一方は、前記印刷媒体の厚さに適応するように調節可能である装置。
【請求項７３】
請求項６９に記載の光学モニター装置であって、
周囲の反射光を前記光センサ上に集めるレンズと、
２枚のリーフレット間の最大間隔を識別し、前記識別した間隔の一方側までのリーフレット枚数を計数するプロセッサとをさらに含む装置。
【請求項７４】
請求項６９に記載の光学モニター装置であって、
前記カウントに関連付けられる時間を求める時計と、
前記カウントと時間とを記憶するメモリと、
電池とをさらに含む装置。
【請求項７５】
請求項６９に記載の光学モニター装置であって、
前記印刷媒体が閲覧されていることを検出する加速度計をさらに含む装置。
【請求項７６】
請求項６９に記載の光学モニター装置であって、前記光センサは前記印刷媒体の汎用製品コード（ＵＰＣ）を読み出すように配置される装置。
【請求項７７】
印刷媒体の測定を行う方法であって、
前記印刷媒体のエッジ画像を取得するステップと、
前記画像に基づいて閲覧ページを特定するステップとを含む、方法。
【請求項７８】
請求項７７に記載の方法において、前記印刷媒体のエッジは前記印刷媒体の頂部エッジである方法。
【請求項７９】
請求項７７に記載の方法において、前記閲覧ページを特定するステップは、
最大間隔を求めるステップと、
前記最大間隔の一方側までのリーフレット数をカウントするステップとを含む方法。
【請求項８０】
請求項７７に記載の方法であって、
前記画像の提示に関連付けられる時間を求めるステップと、
前記特定した閲覧ページと前記時間とをログに記憶するステップとをさらに含む方法。
【請求項８１】
請求項７７に記載の方法であって、
前記印刷媒体から汎用製品コード（ＵＰＣ）を読み出すステップと、
前記ＵＰＣをログに記憶するステップとをさらに含む方法。
【請求項８２】
請求項７７に記載の方法であって、
前記印刷媒体の動きの開始を判定するステップをさらに含み、
前記画像を取得するステップと、前記閲覧ページを識別するステップとは、前記動きの開始を判定するステップに応答して行われる方法。
【請求項８３】
機械可読命令を記憶する製造物であって、前記機械可読命令が実行されると、機械は、
前記印刷媒体のエッジ画像を取得し、
前記画像に基づいて閲覧ページを特定する、製造物。
【請求項８４】
請求項８３に記載の製造物において、前記印刷媒体のエッジは前記印刷媒体の頂部エッジである製造物。
【請求項８５】
請求項８３に記載の製造物において、機械可読命令が実行されると、前記機械は、
最大間隔を判定し、
前記最大間隔の一方側までのリーフレット数をカウントする製造物。
【請求項８６】
請求項８３に記載の製造物において、機械可読命令が実行されると、前記機械は、
前記画像の表示に関連付けられる時間を求め、
前記閲覧ページの識別と前記時間とをログに記憶する製造物。
【請求項８７】
請求項８３に記載の製造物において、機械可読命令が実行されると、前記機械は、
前記印刷媒体から汎用製品コード（ＵＰＣ）を読み出し、
前記ＵＰＣをログに記憶する製造物。
【請求項８８】
請求項８３に記載の製造物において、機械可読命令が実行されると、前記機械は、
前記印刷媒体の動きの開始を判定し、
前記動きの開始の判定に応答して、前記画像を取得し、前記閲覧ページを識別する製造物。
【発明の詳細な説明】
【技術分野】
【０００１】
本願は、米国仮特許出願連続番号第６０／７１４，０５５号（発明の名称「印刷媒体の測定を行う方法および装置、出願日２００５年９月２日、本願に引用して適用する）の優先権を主張する。
【０００２】
本願は、一般には印刷媒体に関し、より特定的には印刷媒体の測定を行う方法および装置に関する。
【背景技術】
【０００３】
広告業者および／または出版業者は、印刷媒体の様々な箇所の閲覧および／または露出を、デモグラフィック（人口統計学的属性）グループごとに測定または統計的に分析することに関心をもっている。例えば広告業者は、ある広告についての全体的効果、リーチ（到達度）、および／または閲覧者のデモグラフィックの検証に関心をもつ。同様に出版業者の関心は、適切な出版広告レートを確立する等のため、出版物を介して閲覧される広告の効果、リーチ、および／または閲覧者のデモグラフィックを実証することである。だが全般的な購読および／または購買情報に頼っていては、特定または個々の広告についての消費情報および／または統計は得られない。
【０００４】
【特許文献１】米国特許第４９３００１１号明細書
【発明の開示】
【課題を解決するための手段】
【０００５】
印刷媒体の測定を行う方法および装置を開示する。本発明の実施形態の装置は、印刷媒体の第１リーフレットの第１位置に接着する第１の無線識別（ＲＦＩＤ）タグと、印刷媒体の第２リーフレットの第２位置に接着する第２のＲＦＩＤタグとを含み、第１位置と第２位置とはほぼ同位置であり、装置はさらに印刷媒体の第３リーフレットに接着する第１のＲＦＩＤアブソーバを含み、印刷媒体が第２リーフレットと第３リーフレットとを露出するように配置されると第２のＲＦＩＤタグが不活性となり、印刷媒体が第２リーフレットと第３リーフレットとを露出するように配置されると第１のＲＦＩＤタグが不活性となる。
【０００６】
本発明の他の実施形態の装置は、印刷媒体の第１リーフレットに貼付するタグと、印刷媒体中に配置するモニター装置とを含み、モニター装置はタグと通信可能に接続される。
【０００７】
印刷媒体とともに使用する本発明のさらに他の実施形態の装置は、印刷媒体のページの閲覧を記録する光センサと、印刷媒体に光センサを取り外し可能に設置する機械的ファスナ（緊締具）とを含む。
【０００８】
本発明の方法は、印刷媒体の第１リーフレット上に第１の無線識別（ＲＦＩＤ）タグを配置し、第１のＲＦＩＤタグは第１リーフレットの第１位置に配置されるステップと、印刷媒体の第２のリーフレット上に第２のＲＦＩＤタグを配置し、第１の位置と第２の位置とはほぼ同位置であるステップと、第１のＲＦＩＤアブソーバを印刷媒体の第３リーフレット上に配置し、第１のＲＦＩＤアブソーバは第３リーフレットの第３位置に配置されるステップとを含み、印刷媒体が第１リーフレットと第３リーフレットとを露出するように開かれると第２のＲＦＩＤタグが不活性となり、印刷媒体が第２リーフレットと第３リーフレットとを露出するように開かれると、第１のＲＦＩＤタグが不活性となる。
【０００９】
本発明の他の方法は、印刷媒体の第１リーフレットにタグを接着するステップと、印刷媒体内にタグと通信する取り外し可能なモニター装置を設置するステップとを含む。
【００１０】
本発明のさらに他の方法は、印刷媒体のエッジ部の画像を取得するステップと、この画像に基づいて、閲覧されたページを特定するステップとを含む。
【発明を実施するための最良の形態】
【００１１】
図１は、印刷媒体（雑誌、書籍、定期刊行物、新聞、ニュースレター、パンフレット、チラシ等）の測定を行う本発明の教示に従って構成したシステムの一実施例を示す。図１の実施例のシステムでは、人物１０５（応答者、パネリスト、参加者等）は、電池式の小型モニター装置１１５を所持（または装着）する。モニター装置１１５は、モニター対象媒体（新聞１３０等）のあるページ１２５等に貼付、接着、または埋め込まれる無線識別（ＲＦＩＤ）タグ１２０と定期的または非定期的に通信を試みる。本実施例では、ＲＦＩＤタグ１２０は露光した場合にのみ動作してモニター装置１１５と通信できる。従って、モニター装置１１５は、ＲＦＩＤタグ１２０を取り付けた印刷媒体１３０のページ１２５が閲覧のため開かれ、これによりＲＦＩＤタグ１２０が露光されて動作可能となる場合にのみ、ＲＦＩＤタグ１２０と通信できる。
【００１２】
本実施例の感光性のＲＦＩＤタグ１２０は、例えば、印刷可能な上面と接着性の底面とを有し、メモリとアンテナコイルとを備えた任意の各種ＲＦＩＤマイクロチップと、任意の各種光検知回路または装置とを含む薄型フラットパッケージで構成できる。または、感光性のＲＦＩＤタグ１２０は、任意の各種ＲＦＩＤマイクロチップおよび任意の各種光検知回路または装置をリーフレット上に設置または接着し、その上を紙ラベルで覆って構成してもよい。ＲＦＩＤマイクロチップはモニター装置１１５から送信される無線（ＲＦ）信号を受信する。ＲＦＩＤマイクロチップが問い合わせ（クエリー）を受信すると、ＲＦＩＤマイクロチップは、少なくともユニーク識別（ＩＤ）コードをモニター装置１１５へ送信して、これに応答する。本実施例の感光性のＲＦＩＤタグ１２０は受動装置であり、モニター装置１１５からタグ１２０のクエリーに送信されるＲＦ信号によって電力を得るので、電池は不要である。任意の各種技術を用いて、感光性回路または装置は、感光性ＲＦＩＤタグ１２０が露光されない時はＲＦＩＤマイクロチップの動作を不能化する。本実施例の感光性ＲＦＩＤタグ１２０は薄型で印刷可能であるため、印刷媒体のページに接着されると、タグ１２０は接着された印刷媒体のページに混じり、応答者１０５によって知覚されることはほとんどない。または、本実施例のＲＦＩＤタグ１２０は能動装置（すなわち電池等の電源を内蔵し長距離通信が可能）として構成してもよい。
【００１３】
モニター装置１１５がＲＦＩＤタグ１２０と通信可能な場合、モニター装置１１５は時刻、日付、およびＲＦＩＤタグ１２０のユニークＩＤコードを記録する。新聞１３０の複数のページに複数の感光性タグ（それぞれユニークＩＤコード付き）がそれぞれ貼付、接着、または埋め込まれる場合は、モニター装置１１５は複数の感光性タグの任意のタグとの通信成立を検出し記録できる。こうしてモニター装置１１５は、新聞１３０のＲＦＩＤタグ付きの各ページが応答者１０５によって閲覧のために開かれたことを記録できる。例えば、広告を掲載した新聞１３０の数ページまたは全ページに複数の感光性ＲＦＩＤタグの１つがそれぞれ設置される場合、モニター装置１１５は、ページが閲覧されるとそのページのＲＦＩＤタグのログを作成し、その後、ログを作成した各ＩＤコードを公知の広告に関連付けられた公知のＩＤコードのデータベースを用いて各広告と相関させて、このように測定が行われている広告への応答者１０５の露出を示すデータを記録できる。
【００１４】
図２は、印刷媒体（雑誌、書籍、定期刊行物、新聞、ニュースレター、パンフレット、チラシ等）の測定を行う本発明の教示に従って構成したシステムの他の実施例を示す。図２の実施例のシステムでは、モニター装置１１５は、雑誌２３０のあるリーフレット２１０（すなわち、おそらくは両面印刷された複数の個別ページの１枚であり、これらリーフレットを組み合わせて印刷媒体を構成する）等に、貼付、接着、または埋め込まれるＲＦＩＤタグ２０５と、定期的または非定期的に通信を試みる。本実施例では、ＲＦＩＤタグ２０５は、ＲＦＩＤタグ２０５がリーフレット２１０に隣接したリーフレットに貼付、接着、または埋め込まれたＲＦＩＤアブソーバ２１５の近傍にない場合にのみ、モニター装置１１５と通信できる。本実施例のＲＦＩＤアブソーバ２１５は、導電インクで印刷されるか、または金属箔でラミネートされた底面を有し、その底面をリーフレットに向けた状態でリーフレットに接着される紙ラベルを含む。または、ＲＦＩＤアブソーバ２１５は、リーフレット上に印刷された導電インクを覆う紙ラベル、またはリーフレットに接着した金属箔の少なくともいずれかとして構成してもよい。アブソーバ２１５がＲＦＩＤタグの近傍にある場合、ＲＦＩＤアブソーバは無線信号送信の干渉、歪曲等によって、ＲＦＩＤタグがモニター装置１１５と通信できないようにする。本実施例のＲＦＩＤアブソーバ２１５は薄型で上面に印刷可能であるため、印刷媒体のページに接着されると、接着した印刷媒体ページに混じり、応答者１０５が知覚することはほとんどない。導電インクまたは金属箔が近隣のＲＦＩＤタグとモニター装置１１５との通信を阻止する。このため図２に示すように、モニター装置１１５は、雑誌２３０が閲覧のために開かれて、ＲＦＩＤタグ２０５とＲＦＩＤアブソーバ２１５が見開きページ（すなわち現在閲覧用に開かれているページ）の各ページ上にある場合にのみ、ＲＦＩＤタグ２０５と通信できる。
【００１５】
いくつかの実施例では、ＲＦＩＤアブソーバとＲＦＩＤタグ２０５とを、ＲＦＩＤタグがＲＦＩＤアブソーバ２１５として動作してＲＦＩＤタグ２０５の動作を阻止する、またはその逆に動作するような相対位置に配置してもよい。例えば、印刷媒体が少なくとも一つの位置にある（すなわち見開きの２ページを閲覧するように開かれている）場合、ＲＦＩＤタグはそのアンテナ同士が相互に信号を干渉する位置になるように（例えばアンテナを整列、回転、および／またはずらせて）リーフレットに接着してもよい。これに加えて、または他の実施形態では、ＲＦＩＤタグ２０５は、近隣のＲＦＩＤタグの動作を阻止するべく導電インクおよび／または金属箔を含んでもよい。かかる実施例では、ＲＦＩＤタグはＲＦＩＤタグおよびＲＦＩＤアブソーバとして動作できる。
【００１６】
本実施例のＲＦＩＤタグ２０５は、ＲＦＩＤタグ１２０と同様に構成してもよい。このためＲＦＩＤタグ２０５は、印刷可能な上面と接着性の底面とを有し、任意の各種ＲＦＩＤマイクロチップを含む薄型フラットパッケージで構成できる。または、ＲＦＩＤタグ２０５は、任意の各種ＲＦＩＤマイクロチップをリーフレット上に設置または接着して、それを紙ラベルで覆って構成してもよい。本実施例のＲＦＩＤタグ２０５は受動装置であり、モニター装置１１５からタグ２０５のクエリーのために送信される無線信号から電力を得るため、電池は不要である。本実施例のＲＦＩＤタグ２０５は薄型で印刷可能であるため、印刷媒体のページに接着されると、タグ２０５は接着した印刷媒体のページにほぼ混じり、応答者１０５によって知覚されることはほとんどない。または、本実施例のＲＦＩＤタグ２０５は能動装置（すなわち電池等の電源を内蔵し長距離通信が可能）として構成してもよい。
【００１７】
モニター装置１１５がＲＦＩＤタグ２０５と通信可能な場合、本実施例のモニター装置１１５は、ＲＦＩＤタグ２０５の時刻、日付、およびユニークＩＤコードを記録する。雑誌２３０に、図８Ａ〜図８Ｃ、図９、および図１０Ａ〜図１０Ｂのところで説明するようなパターンで、雑誌２３０の複数のリーフレットに複数のＲＦＩＤタグ（それぞれユニークＩＤ付き）と複数のＲＦＩＤアブソーバとがそれぞれ貼付、接着、または埋め込まれる場合、モニター装置１１５は複数のＲＦＩＤタグの任意のタグとの通信成立を検出し記録できる。こうしてモニター装置１１５は、雑誌２３０の見開きページが応答者１０５によって閲覧されている可能性があることを記録できる。例えば、広告を掲載した雑誌２３０の数ページまたは全ページに複数の感光性ＲＦＩＤタグまたはＲＦＩＤアブソーバの１つがそれぞれ設置される場合、モニター装置１１５は、ページが閲覧されるとそのページのＲＦＩＤタグのログを作成し、その後、ログを作成した各ＩＤコードを公知の広告に関連付けられた公知のＩＤコードのデータベースを用いて各広告と相関させて、このように測定が行われている広告への応答者１０５の露出を示すデータを記録できる。
【００１８】
図１および図２に示す実施例では、モニター装置例１１５は応答者１０５が携帯または着用するポータブル装置である。すぐにわかることだが、モニター装置１１５は例えばテーブル、ナイトテーブル、机等の上に設置または垂直面に吊り下げる等によって固定できる。さらに、図１および図２のモニター装置例１１５は応答者１０５に関連付けられる（すなわち、印刷媒体の閲覧とモニター装置例１１５の保持担当の応答者１０５とが照合される）が、モニター装置例１１５は複数の応答者間で共有することもできる。例えば、モニター装置１１５を公共の場所、および／または一人以上の応答者による１つ以上の印刷媒体の閲覧を同時にモニターする位置においてもよい。このような場合、モニター装置１１５は１つ以上の印刷媒体の測定箇所の閲覧を記録するが、特定の応答者による閲覧を関連づけることはない。
【００１９】
いくつかの実施例では、モニター装置１１５は、印刷媒体に挿入されるカード（例えば、前納郵便料金を含む宛先住所が事前印刷され、カードを印刷媒体から破り取るかまたは取り外して郵送できるように穴によって規定されるカード）に接着、貼付、または埋め込まれる。このような実施例では、応答者１０５は、印刷媒体を読み終えると、返信先を記した料金前納の挿入物を取り外して郵送する。挿入物は処理局（図示せず）で受領され、計算装置に通信可能に接続され、計算装置は挿入物によって記録されたデータをダウンロードして処理する。上述したように、本例の挿入物はＲＦＩＤタグ（感光性タグ１２０またはＲＦＩＤタグ２０５等）と相互作用し、その通信を記録する。
【００２０】
当業者ならば容易に理解できると考えるが、モニター装置１１５とタグ１２０および／または２０５とは、他の技術を用いた通信も可能である。例えば、印刷媒体に挿入されるカードにモニター装置１１５を接着、貼付、または埋め込み、印刷媒体のページに接着、貼付、または埋め込まれるタグに、導電インクを用いてページ上に直接印刷した線および／または信号トレースを介して接続してもよい。導電信号経路を用いることにより、モニター装置例１１５は、各タグが任意の応答者によって閲覧用に露出していることをモニターできる。上記と同様の実施形態を用いて、タグを感光性にして、この感光性タグが露光されるとモニター用挿入物１１５と通信するようにしてもよい。他の実施形態では、または本実施例に追加して、本実施例のタグは、モニター用挿入物１１５とタグとの間の通信を妨害する近隣の不能化タグによって不能化されるようにしてもよい。印刷媒体が閲覧されると、各タグとモニター用挿入物１１５とが通信可能な場合は、モニター用挿入物１１５はそれぞれの関連タグのユニークＩＤコードを記録する。印刷媒体の閲覧が完了すると、モニター用挿入物１１５は、例えば印刷媒体から取り外すか、および／または計算装置に通信可能に接続されて、モニター用挿入物１１５によって記録されたログをダウンロードしてもよい。
【００２１】
図３は、印刷媒体（雑誌、書籍、定期刊行物、新聞、ニュースレター、パンフレット、チラシ等）の測定を行う本発明の教示に従って構成したシステムのさらに他の実施例を示す。図３の実施例のシステムでは、応答者１０５は、例えば光学モニター装置３０５の両側に配置したフォークおよび／またはクリップ３１５等の機械的ファスナ（緊締具）を用いて、モニター対象の印刷媒体３１０（定期刊行物３１０等）の背（すなわち綴じ部）の一番上に、光学モニター装置３０５を取り外し可能に設置および／または固定する。２つのフォーク／クリップ３１５間の距離は、広範囲の印刷媒体の厚さに適応するよう調整可能である。図３に示す実施例では、測定を行う印刷媒体は、印刷媒体の製造販売のために現在使用中または将来の使用が見込まれる標準的な印刷／出版工程を修正または拡張等することなく印刷／出版できる。図３の光学モニター装置例３０５は印刷媒体３１０の頂部に設置および／または固定されるが、当業者であれば、光学モニター装置３０５は印刷媒体３１０の底部、角部、および／または側面等の他の位置に設置および／または固定してもよいことが容易に理解できるであろう。
【００２２】
図３の実施例では、光学モニター装置３０５は電池式で、集光レンズ３２０と光センサ（図示せず）とを用いて、定期刊行物３１０の上面から反射した周囲光を集める。光学モニター装置３０５は光センサの出力を用いて、定期刊行物３１０のどの見開きページが応答者１０５によって閲覧のために開かれているかを、まず２枚のリーフレット間の最大間隔を特定し、その後、この間隔の少なくとも一方側に位置するリーフレットの枚数を計数して判断する。図示する例では、好適には応答者１０５はまず、光学モニター装置３０５が定期刊行物３１０の外カバー上の汎用製品コード（ＵＰＣ）を読み出して記録するように光学モニター装置３０５を配置し、次いで、光学モニター装置３０５がページの閲覧を判定するべく定期刊行物の背の一番上に設置されるように、光学モニター装置３０５を配置する。だがこれに加えて、またはこれ以外の態様では、光学モニター装置例３０５をＵＰＣの読出し／記録を行うように配置することは、光学モニター装置３０５をページ閲覧の判定に用いた後でもよい。応答者１０５による見開きページの閲覧を記録し、これを記録済みのＵＰＣと相関させることによって、図３の実施例のシステムは、例えば記録済みの情報を、印刷媒体の名称と各名称の印刷物中の広告を含むページとを反映するデータベースに照合（すなわち相関）させることによって（例えば「スポーツ・イラストレーテッド」誌２００５年７月号の３２〜３３ページの見開きページをデータベース中のナイキ社の広告と関連付けることができる）、応答者１０５が定期刊行物３１０の特定の見開きページ（広告を含む見開きページ等）を開いていることを判定できる。
【００２３】
図１および図２の実施例のモニター装置１１５とＲＦＩＤタグとの間の通信、および／または図３の光学モニター装置の実施例によって特定・記録されたページを記録したログは、モニター装置１１５または光学モニター装置３０５からローカルサーバ（図示せず）へ定期的、非定期的、またはリアルタイムベースで転送される。ローカルサーバは、例えば応答者自身のパーソナルコンピュータ（ＰＣ）、および／または拡張可能マークアップ言語（ＸＭＬ）データ回収サーバでもよく、これについては本願に引用して適用するＰＣＴ特許出願連続番号第ＰＣＴ／ＵＳ２００４／０００８１８号に記載されている。次いで、ローカルサーバは、転送された記録済みデータ（通信ログまたは特定したページのログ）を処理サーバ（図示せず）へ送る。モニター装置１１５および／または光学モニター装置３０５からローカルサーバへのデータ転送、ならびにローカルサーバから処理サーバへのデータ転送には、任意の各種技術を用いることができる。例えばモニター装置１１５および／または光学モニター装置３０５は、汎用シリアルバス（ＵＳＢ）接続、シリアルケーブル、ドッキングステーションまたはクレードル等を用いて、ローカルサーバに取り付け可能である。ローカルサーバは、例えば記録したデータを処理サーバに転送（インターネット接続、専用ネットワーク、またはローカルサーバおよび処理サーバにアクセス可能な公共交換網等を介して）してもよい。または、ローカルサーバは、記録したデータを不揮発性記憶媒体（記録可能コンパクトディスク（ＣＤ−Ｒ））に定期的または非定期的に記憶してもよく、不揮発性記憶媒体は処理サービスに輸送（引き取り、郵送等）して処理サーバ上にロードできる。
【００２４】
処理サーバは、応答者の一部または全員に関連づけられたモニター装置の一部またはすべてのから受信した記録データ（ＲＦＩＤタグとの通信ログ、または光学モニター装置例３０５で特定されたページのログ等）を組み合わせて、有意な印刷媒体露出統計を作成する。例えば、図示する処理サーバは、組み合わせた記録データを用いて、統計的方法によって回収データを処理して、印刷媒体中で閲覧された広告の効果、リーチ、および／または閲覧者デモグラフィックを決定する。
【００２５】
図４は、図１および図２に示すモニター装置例１１５を構成する方法の一例を示す概略図である。ＲＦＩＤタグ（ＲＦＩＤタグ例２０５または感光性ＲＦＩＤタグ１２０等）と通信するには、図４のモニター装置例１１５は任意の各種ＲＦＩＤトランシーバ４０５およびアンテナ４１０を含む。ＲＦＩＤトランシーバ４０５およびアンテナ４１０は近隣のＲＦＩＤタグの問い合わせ（クエリー）を行うＲＦ信号を送信し、任意の近隣ＲＦＩＤタグから発信された１つ以上のＲＦ信号（ユニークＩＤコード等）を受信する。
【００２６】
ＲＦＩＤクエリーの開始とその結果処理のため、図４のモニター装置例１１５は低消費電力プロセッサ４１５を含む。プロセッサ４１５は、任意の各種汎用および／またはカスタマイズ計算装置（図１６のプロセッサ１６１０等）から構成できる。時刻および日付情報にアクセスするため、図４のモニター装置例１１５は、リアルタイムクロック装置４２０を含む。図示する実施例では、プロセッサ４１５が近隣ＲＦＩＧタグ（ＲＦＩＤタグ例２０５または感光性ＲＦＩＤタグ例１２０等）から、ＲＦＩＤトランシーバ４０５を介してユニークＩＤコードを受信すると、プロセッサ４１５はクロック４２０から現在時刻と日付を入手して、新たなログエントリをメモリ４２５に作成する。図５Ａに示すログ例は、それぞれのログエントリが特にユニークＩＤコード５０５、時刻コード５１０、および日付５１５である簡単な現行ログエントリのリストである。ログに含めることができる他のエントリには、例えばＵＰＣ、分類コード（雑誌、新聞、書籍、定期刊行物、パンフレット、チラシ等）、名称（タイム、ピープル、ニューズウィーク等）、巻号番号、発行日等がある。
【００２７】
図４に戻って、本実施例のメモリ４２５は、揮発性メモリ（ランダムアクセスメモリ（ＲＡＭ）等）と不揮発性メモリ（読出し専用メモリ（ＲＯＭ）、フラッシュメモリ等）との組み合わせを用いて構成できる。図４の実施例では、ログは不揮発性メモリに記録されるため、モニター装置１１５の電力が低下する、電源が切られる、または動作不能になる場合でも、ログは保存される。応答者１０５がモニター装置１１５を制御できるようにするため、および／またはモニター装置１１５がダウンロードサーバと通信できるようにするために、図４のモニター装置例１１５は、１つ以上の入力および／または出力装置４３０（オン／オフスイッチ、ＵＳＢ通信装置、およびＵＳＢケーブルコネクタ、発光ダイオード、液晶ディスプレイ（ＬＣＤ）等）を含む。
【００２８】
電力供給のために、図４のモニター装置例１１５は電池４３５を含む。実施例では、電池４３５は、好適にはモニター装置１１５を数日にわたって動作可能な電力を供給する。図４の実施例では、電池４３５は再充電可能なタイプの電池であるため、電池４３５の充電／再充電のため電力アダプタ（図示せず）に接続してもよい。モニター装置１０５は電力アダプタに接続されると動作できる。または、電池４３５は再充電できないタイプのものでもよい。この場合、電池４３５は好適には回答者１０５によって交換可能である。
【００２９】
図６は、図１および図２のモニター装置例１１５を構成するためにプロセッサ（図４のプロセッサ４１５、図１６のプロセッサ１６１０等）によって実行可能な機械可読命令を表すフローチャートである。図６の機械可読命令は、プロセッサ、コントローラ、および／または他の任意の適当な処理装置で実行できる。例えば、図６の機械可読命令はフラッシュメモリ、ＲＯＭ、および／またはＲＡＭ等の物理的（タンジブル）媒体に記憶されるコード化された命令として実現でき、物理的媒体は図１６のところで説明するプロセッサ・プラットフォーム例１６００中に示すプロセッサ１６１０に関連付けられる。または、図６の機械可読命令の一部またはすべて、および／または図１および図２のモニター装置例１１５は、任意の各種特定アプリケーション向け集積回路（ＡＳＩＣ）、プログラマブル論理装置（ＰＬＤ）、フィールドプログラマブル論理装置（ＦＰＬＤ）、ディスクリートロジック、ハードウェア等を用いて実現できる。また、図６の機械可読命令の一部またはすべて、および／または図１および図２のモニター装置例１１５は、手作業で、または上記の技術を任意に組み合わせて実現してもよい。さらに、図６の機械可読命令の例は図６のフローチャートを参照して説明するが、当業者であれば、図１および図２のモニター装置例１１５の他の多くの実現方法を利用可能であることが容易に理解できるであろう。例えば、各ブロックの実行順序を変更してもよいし、および／または記載したブロックのいくつかを変更、削除、細分化、もしくは組み合わせてもよい。
【００３０】
図６の機械可読命令の例は、モニター装置１１５の初期化および電源オン機能が完了、および／またはそれ以外の態様で応答者１０５によって可能化されると開始する。モニター装置１１５は、所定の時間期間だけ待機する（ブロック６０５）。待機（ブロック６０５）により、近隣のＲＦＩＤタグ（感光性ＲＦＩＤタグ例１２０またはＲＦＩＤタグ２０５等）へのクエリーを所定の時間期間だけ一時的にはずす。この一時的分離により、モニター装置１１５の電力消費量の削減、および／または近隣ＲＦＩＤからの冗長な（すなわち複数の）応答を排除する。所定の時間期間の長さは経験的に定めることができる。例えば、分離期間が長く、かつ応答者１０５が測定対象の印刷媒体のページを高速でめくる場合は、モニター装置１１５は応答者１０５が印刷媒体の測定対象の見開きページを開いていることを正確に記録できない場合がある。だがあまり頻繁にクエリーを行うと、モニター装置１１５の電池寿命を短縮してしまう。
【００３１】
所定時間だけ待機した（ブロック６０５）後、モニター装置例１１５はクエリーを送信して（ブロック６１０）、いずれかの近隣ＲＦＩＤタグが応答するか否か（すなわち、クエリーに応答してユニークＩＤコードを送信するか否か）を判定する（ブロック６１５）。図６の実施例では、モニター装置１１５は、近隣ＲＦＩＤタグからの応答を所定時間の間モニターする。例えばモニター装置１１５は、クエリーを受信して応答するのに十分な時間を近隣のＲＦＩＤタグ群に与える。印刷媒体の測定に用いるＲＦＩＤタグの実施方法の詳細によって、使用する種類のＲＦＩＤタグの応答時間は異なる場合がある。モニター装置１１５は、例えば複数の製造業者のＲＦＩＤタグに適応する所定時間期間を用いるか、または時間の経過に伴って近隣ＲＦＩＤタグからの応答に基づいて適当な時間期間を学習して適応してもよい。
【００３２】
近隣のＲＦＩＤタグからの応答が受信されると（ブロック６１５）、モニター装置例１１５は、受信した応答からＲＦＩＤタグのユニークＩＤコードを求め（ブロック６２０）、現在時刻と日付を判定する（ブロック６２５）。応答者１０５はブロック６０５で用いた所定時間より長く見開きページを閲覧するかもしれないので、モニター装置１１５は、受信したユニークＩＤコード（ブロック６２０）が最後に受信したユニークＩＤコードから変更されているか否かを判定する（ブロック６３０）。もし受信したユニークＩＤコードが変更されていれば（ブロック６３０）、モニター装置１１５はユニークＩＤコード、時刻、および日付を含む新たなログエントリを作成し記憶する（ブロック６３５）。その後、処理はブロック６０５へ戻り、所定時間の待機後、近隣のＲＦＩＤタグのクエリーを再開する。
【００３３】
受信したユニークＩＤコードが変更されていなければ（ブロック６３０）、モニター装置例１１５は、ユニークＩＤコードが以前に記録されてから許容可能な時間が経過したか否かを判定する（ブロック６４０）。許容可能な時間が経過していれば（ブロック６４０）、モニター装置１１５はユニークＩＤコード、時刻、および日付を含むログエントリを作成し記憶する（ブロック６３５）。その後、処理はブロック６０５へ戻り、所定時間の待機後、近隣のＲＦＩＤタグのクエリーを再開する。許容可能な時間が経過していなければ（ブロック６４０）、モニター装置１１５はブロック６０５へ戻って所定時間だけ待機した後、近隣ＲＦＩＤタグのクエリーを再開する。許容可能な経過時間の一例は、ある最低時間より長く、かつある最大時間より短い時間である。最低時間とは、例えば応答者１０５が現在の見開きページの閲覧に時間をかけており、従ってこの見開きページに露出時間が長いという評価を与えるべきである時間期間をさす。最大時間とは、例えば応答者１０５が印刷媒体の閲覧を完全に停止し、印刷媒体を開けたまま立ち去った可能性が高い時間期間をさす。もし最大時間が経過すれば、モニター装置１１５は以前のログエントリを削除するか、または応答者１０５が印刷媒体の閲覧を停止した可能性があることを示すようにログに適切にマークをつけてもよい。
【００３４】
図７は、図１の感光性ＲＦＩＤタグ１２０の一実施例の概略図である。上述のとおり、感光性ＲＦＩＤタグ１２０は、任意の各種ＲＦＩＤマイクロチップ７０５と、任意の感光性回路または装置７２５とを含む。またやはり上述したように、ＲＦＩＤマイクロチップ７０５は、任意の各種ＲＦＩＤ回路７１０と、メモリ７１５と、アンテナ７２０とを含む。図７の実施例では、感光性装置７２５は、感光性装置７２５（すなわち感光性ＲＦＩＤタグ１２０）が未露光のときはＲＦＩＤマイクロチップ７０５を不能化する。このため図７のＲＦＩＤマイクロチップ例７０５は、感光性装置７２５がＲＦＩＤマイクロチップ７０５を可能化または不能化できるようにする可能化／不能化入力を含む。
【００３５】
図８Ａは、印刷媒体例にＲＦＩＤタグ８１５とＲＦＩＤアブソーバ８２０とを設置する実施例を示す。特定的には、ＲＦＩＤタグ８１５は印刷媒体のリーフレット８０５の前面または裏面に接着し、ＲＦＩＤアブソーバ８２０は隣接したリーフレット８０６の前面または裏面に接着する。ＲＦＩＤタグ８１５とＲＦＩＤアブソーバ８２０とは、それぞれリーフレット８０５と８０６のほぼ同位置に接着される。図８Ａに示す実施例では、ＲＦＩＤタグ８１５とＲＦＩＤアブソーバ８２０とは間隔を空けて保持される見開きページ上に設置される（すなわちタグ８１５とアブソーバ８２０とはある距離だけ離れている）ため、ＲＦＩＤアブソーバ８２０はＲＦＩＤタグ８１５の動作を阻止せず、従ってＲＦＩＤタグ８１５はモニター装置１１５からのクエリーに応答できる。
【００３６】
図８Ｂは、応答者１０５が印刷媒体の次の見開きページ対を開いた後の、ＲＦＩＤタグ８１５とＲＦＩＤアブソーバ８２０との位置を示す。図８Ｂに示すように、ここではＲＦＩＤタグ８１５とＲＦＩＤアブソーバ８２０とが互いに近接しており、ＲＦＩＤアブソーバ８２０はＲＦＩＤタグ８１５の動作を阻止するため、ＲＦＩＤタグ８１５はモニター装置１１５からのクエリーには応答できない。従って、新たな見開きページを応答者１０５が見ていることは記録されない。当業者であれば容易に理解できると考えるが、応答者１０５が図８Ａの見開きページの前の見開きページ対を閲覧している間は、ＲＦＩＤラグ８１５とＲＦＩＤアブソーバ８２０とはやはり近接しているため、ＲＦＩＤタグ８１５とモニター装置１１５との通信は図８Ｂの実施例のように阻止される。
【００３７】
図８Ｃは、応答者１０５が印刷媒体の次の見開きページ対（図８Ｂと同一のページ）を開いた後の、ＲＦＩＤタグ８１５と、ＲＦＩＤアブソーバ８２０と、第２のＲＦＩＤタグ８２５との位置を示す。第２のＲＦＩＤタグ８２５は、ＲＦＩＤアブソーバ８２０がリーフレット８０６に接着されるのとほぼ同位置に、リーフレット８０７の前面または背面に接着される。図８Ｂに示すように、ＲＦＩＤタグ８１５とＲＦＩＤアブソーバ８２０とは互いに近接しているため、ＲＦＩＤアブソーバ８２０はＲＦＩＤタグ８１５の動作を阻止し、ＲＦＩＤタグ８１５はモニター装置１１５からのクエリーにもはや応答できない。しかしＲＦＩＤタグ８２５はＲＦＩＤアブソーバ８２０に近接していないので、モニター装置１１５からのクエリーに応答でき、従って新たな見開きページ対を応答者１０５が見ていることが記録される。図８Ｃのように適正に配置すれば、１つのＲＦＩＤアブソーバを用いて２つのＲＦＩＤタグ８１５および８２５の動作を阻止できる。
【００３８】
ＲＦＩＤアブソーバは、リーフレット数枚分だけ離れていてもＲＦＩＤタグの動作を阻止できる場合がある。このため印刷媒体の隣りあったページを測定するには、ＲＦＩＤタグとＲＦＩＤアブソーバとを印刷媒体のページ上の異なる位置に配置して分離してもよい。図９は、ＲＦＩＤタグとＲＦＩＤアブソーバの配置ゾーンの例を示す。図９の実施例では、それぞれ印刷媒体の各リーフレット９２０に関連づけられた複数のゾーン９１０Ａ、９１０Ｂ、および９１０Ｃを示す。図１０Ａおよび図１０Ｂのところで示すように、図示する実施例では、ＲＦＩＤタグとＲＦＩＤアブソーバとは図９の複数のゾーン９１０Ａ〜９１０Ｃを用いて印刷媒体に設置できる。
【００３９】
図１０Ａは、タグおよびアブソーバの位置リストを含む表であり、図９の配置ゾーン例に基づく配置パターンの一例を示す。図１０Ａの例では、リーフレット４０のゾーン９１０Ａ中で第１のＲＦＩＤタグをリーフレット前面または背面に接着し、リーフレット４１のゾーン９１０Ａ中でＲＦＩＤアブソーバをリーフレット前面または背面に接着し、リーフレット４２のゾーン９１０Ａ中で第２のＲＦＩＤタグをリーフレット前面または背面に接着し、ゾーン９１０Ｂ中に第３のＲＦＩＤタグを接着し、等々となる。リーフレット４２上の第３のＲＦＩＤタグはゾーン９１０Ｂ中に配置されるため、リーフレット４１のゾーン９１０Ａ中に位置するＲＦＩＤアブソーバは、リーフレット４２上の第３のＲＦＩＤタグの動作を阻止しない。これと同一または類似のパターンを続けることによって、印刷媒体の各見開きページ対の応答者１０５への露出を正しく測定できる。
【００４０】
図１０Ｂは、タグおよびアブソーバの位置リストを含む表であり、図９の配置ゾーン例に基づく他の配置パターンの例を示す。図１０Ｂの例では、リーフレット３１のゾーン９１０Ｃ中で第１のＲＦＩＤタグをリーフレット前面または背面に接着し、リーフレット３２のゾーン９１０Ｃ中でＲＦＩＤアブソーバをリーフレット前面または背面に接着し、リーフレット５３のゾーン９１０Ａ中で第２のＲＦＩＤタグをリーフレット前面または背面に接着する。図１０Ａと同じく、リーフレット３２のゾーン９１０Ｃ中に位置するＲＦＩＤアブソーバはリーフレット５３のゾーン９１０Ａ中に位置する第２のＲＦＩＤタグを阻止せず、このため応答者１０５によるリーフレット５３に関連付けられた見開きページの閲覧の検出を干渉または禁止しない。これと同一または類似のパターンを続けることによって、印刷媒体の他の特定の見開きページ対の応答者１０５への露出を正しく測定できる。
【００４１】
図１１は、図３の光学モニター装置例３０５の実現方法の一例を示す概略図である。印刷媒体の上面から反射する周囲光を集めるため、図１１の光学モニター装置例３０５は任意の各種光学レンズ１１０５と任意の各種光センサ１１１０とを含む。図１２に示すように、レンズ１１０５は反射した周囲光１２１０を光センサ１１１０に集光し、光センサ１１１０のディジタル出力が印刷媒体の背（例えば雑誌１２０５の背１２０７）近傍の頂部の画像を表すようにする。
【００４２】
光センサ１１１０のディジタル出力（すなわち印刷媒体の頂部画像）を処理するため、図１１の光学モニター装置例３０５はプロセッサ１１１５を含む。プロセッサ１１１５は、任意の各種汎用プロセッサ（図１６のプロセッサ１６１０等）でもよいし、もしくは専用および／またはカスタマイズ計算装置（ディジタル信号プロセッサ（ＤＳＰ）等）でもよい。時刻および日付情報にアクセスするため、図１１の光学モニター装置例３０５はリアルタイムクロック装置１１２０を含む。図示する例では、プロセッサ１１１５が印刷媒体頂部の新たな画像を受信し、応答者１０５によって新たな見開きページが開けられたことを判定すると、プロセッサ１１１５はクロック１１２０から現在時刻と日付とを入手し、新たなログエントリをメモリ１１２５に作成する。図５Ｂに示す例は簡単な実際のログエントリのリストであり、各エントリは例えばページ番号５２０と、時刻５２５と、日付５３０とを含む。これ以外に、ログにはＵＰＣ、分類コード（雑誌、新聞、書籍、パンフレット、チラシ等）、印刷物名（タイム、ピープル、ニューズウィーク等）、巻号番号、発行日等を含めてもよい。
【００４３】
図１１に戻って、図示する例のメモリ１１２５は、揮発性メモリ（ＲＡＭ等）または不揮発性メモリ（ＲＯＭ、ＦＬＡＳＨメモリ等）の組み合わせを用いて実現できる。図１１の実施例では、ログは不揮発性メモリに記憶されるため、光学モニター装置３０５が電力低下、電源オフ、またはそれ以外の態様で動作不能になった場合、ログは保存される。応答者１０５が光学モニター装置３０５を制御できるようにする、および／または光学モニター装置３０５がダウンロードサーバと通信できるようにするため、図１１の光学モニター装置例３０５は１つ以上の入力および／または出力装置１１３０（オン／オフスイッチ、押下により光学モニター装置３０５にＵＰＣ情報を取得させるボタン、ＵＳＢ通信装置、およびＵＳＢケーブルコネクタ、ＬＥＤ、ＬＣＤ等）を含む。
【００４４】
電力供給のため、図１１の光学モニター装置例３０５は電池１１３５を含む。図示する例では、電池１１３５は好適には光学モニター装置３０５を数日間動作させる電力を供給する。例示する電池１１３５は再充電可能な電池であり、光学モニター装置３０５を電源アダプタ（図示せず）に接続して電池を充電／再充電できる。光学モニター装置３０５は電源アダプタに接続されると動作するようにしてもよい。または、電池１１３５は再充電不可で、応答者１０５によって交換可能なものでもよい。
【００４５】
動きの検出ができるようにして、光学モニター装置３０５をスリープ状態（すなわち低消費電力動作状態）から回復させるため、図１１の光学モニター装置例３０５は、加速度計１１４０または動きの検出が可能な他の任意の装置、例えばジャイロスコープ、圧力トランスデューサ、コンパス等を含む。図示する例では、加速度計１１４０は光学モニター装置３０５の移動を検出して、通知信号（割込み信号等）をプロセッサ１１１５に送る。または、光学モニター装置３０５はプロセッサ１１１５を定期的に起動させる監視タイマーを含んでもよい。
【００４６】
図１３は、印刷物の背の近傍の印刷物頂部の画像例を示す。図１１の光学モニター装置３０５の光センサ１１１０は、光学検知技術および／またはディジタル記録技術を用いて、図示する画像例の部分１３０５を取得する。その後、画像例の部分１３０５はプロセッサ１１１５に送られて、まず２枚の見開きページ間の最大間隔（間隔１３１０等）を求め、次いで間隔１３１０の一方側のページ数（すなわちリーフレット数）を計数して、見開きページの間隔１３１０の少なくとも一方側のページ数を決定する。間隔の判定とページ数の計数は、任意の適当な画像および／または信号処理技術を用いて実行される。
【００４７】
図１４は、図３の光学モニター装置例３０５を用いる方法の一例を示すフローチャートである。図３に示す例では、方法の少なくとも一部は応答者１０５によって実行される。図１４のフローチャートを参照して使用方法の一例を説明するが、当業者であれば、図３の光学モニター装置例３０５を用いる他の多くの方法を利用できることが容易に理解できると考える。例えば、ブロックの実行順序を変更してもよいし、および／または記載するブロックを変更、削除、細分化、または組み合わせてもよい。
【００４８】
図１４の方法の一例を開始するには、応答者１０５は図３の光学モニター装置例３０５を配置し可能化して、光学モニター装置例３０５が光学レンズ１１０５および光センサ１１１０を用いて印刷媒体（雑誌等）のＵＰＣを取得するようにする（ブロック１４０５）。次に応答者１０５は、例えば上述したフォーク／クリップ３１５を用いて光学モニター装置３０５を雑誌の背の頂部に設置し、オン／オフスイッチをトグルする等により光学モニター装置３０５を可能化する（ブロック１４１０）。その後、応答者１０５は装置３０５をそれ以上使用することなく、雑誌を読む（ブロック１４１５）。
【００４９】
応答者１０５が雑誌を読んでいる間（ブロック１４１５）、光学モニター装置３０５は応答者１０５が閲覧している雑誌のページを記録する。雑誌の読後、もし応答者１０５が別の印刷媒体の閲覧を選択すれば（ブロック１４２０）、ユーザは装置３０５を現在の印刷媒体から取り外して、次に選択した印刷媒体上の同位置に設置し（ブロック１４０５）、この第２の印刷媒体の閲覧のモニターに用いる。もし応答者１０５が別の印刷媒体の閲覧を選択しなければ（ブロック１４２０）、応答者１０５は例えば光学モニター装置３０５の電源を切って保管するか、または光学モニター装置３０５によって記録したデータをダウンロードサーバへダウンロードする手順または接続を開始する（ブロック１４２５）。図１４の使用法の例はここで終了する。
【００５０】
図１５は、図３の光学モニター装置例３０５を実現するためにプロセッサ（図１１のプロセッサ１１１５、図１６のプロセッサ１６１０等）によって実行されうる機械可読命令の一例を表すフローチャートである。図１５の機械可読命令は、プロセッサ、コントローラ、および／または他の任意の処理装置によって実行できる。例えば、図１５の機械可読命令は、図１６のところで説明するプロセッサ・プラットフォーム例１６００中に示すプロセッサ１６１０に関連付けられるフラッシュメモリ、ＲＯＭ、および／またはＲＡＭ等の物理的媒体に記憶されるコード化された命令として実現できる。または、図１５の機械可読命令の例の一部またはすべて、および／または図３の光学モニター装置例３０５は、任意の各種ＡＳＩＣ、ＰＬＤ、ＦＰＬＤ、ディスクリートロジック、ハードウェア等を用いて実現できる。また、図１５の機械可読命令の一部またはすべては、手作業で、または上述の技術を任意に組み合わせて実現してもよい。さらに、図１５の機械可読命令の例は図１５のフローチャートを参照して説明するが、当業者であれば、図３の光学モニター装置例３０５の他の多くの実現方法を利用可能であることが容易に理解できるであろう。例えば、各ブロックの実行順序を変更してもよいし、および／または記載したブロックのいくつかを変更、削除、細分化、もしくは組み合わせてもよい。
【００５１】
図１５の機械可読命令の例は、図３の光学モニター装置例３０５が設置され、印刷媒体（雑誌等）のＵＰＣを読み出すように可能化されると、開始する。光学モニター装置３０５は雑誌のＵＰＣを読み出してログ／記録し（ブロック１５０５）、応答者１０５が光学モニター装置３０５を雑誌の背の頂部に設置して動作を開始させる（光学モニター装置３０５上のボタンを押下する等によって）まで待機する（ブロック１５０７）。または、光学モニター装置３０５は自動的に光センサ１１１０の出力処理を開始し、光学モニター装置３０５が設置されたことを自動的に判定する。光学モニター装置３０５が未設置ならば（ブロック１５０７）、光学モニター装置３０５は待機を続ける。
【００５２】
光学モニター装置３０５が設置されると（ブロック１５０７）、光学モニター装置３０５は光センサ１１１０の出力処理を開始してページ変更を検出する（ブロック１５１０）。ページ変更が発生すると（ブロック１５１０）、光学モニター装置３０５は時間切れ（タイムアウト）タイマーを開始させ（ブロック１５１５）、ページ番号を特定し（ブロック１５２０）、リアルタイムクロック１１２０から現在時刻および日付を取り出し（ブロック１５２５）、ページ番号と時刻と日付とをメモリ１１２５に記憶されたログに記録し（ブロック１５３０）、ブロック１５１０に戻って別のページ変更を待つ。
【００５３】
ブロック１５１０へ戻り、もしページ変更が発生しなければ、光学モニター装置３０５はタイムアウトが発生したか否かを判定する（ブロック１５３５）。タイムアウトが発生していなければ（ブロック１５３５）、光学モニター装置３０５はブロック１５１０へ戻って別のページ変更を待つ。もしタイムアウトが発生していれば（ブロック１５３５）、光学モニター装置３０５は低消費電力スリープモードに切り替わり、電力を節約する（ブロック１５４０）。スリープモードの間、加速度計１１４０は光学モニター装置３０５の動きのモニターを続行する（ブロック１５４５）。動きが検出されるか、および／または起動させるためのユーザ入力（入力のトグル等）が検出されると（ブロック１５５０）、光学モニター装置３０５は通常の動作モードに戻り（ブロック１５５０）、ブロック１５１５へ戻って現在のページの特定と記録を行う。
【００５４】
図１６は、図６および図１５の機械可読命令の例を実行して、図１、図２ならびに図４のモニター装置、および／または図３および図１１の光学モニター装置例を実現できるプロセッサ・プラットフォーム１６００の一例を示す概略図である。例えばプロセッサ・プラットフォーム１６００は、１つ以上の汎用マイクロプロセッサ、マイクロコントローラ、カスタマイズおよび／または専用プロセッサで実現できる。
【００５５】
図１６のプロセッサ・プラットフォーム１６００の例は、汎用、カスタマイズ、および／または専用のプログラマブルプロセッサ１６１０を含む。プロセッサ１６１０は、プロセッサ１６１０のメインメモリ（例えばＲＯＭ１６２０および／またはＲＡＭ１６２５中）に存在するコード化命令１６２７および／または１６２９を実行する。プロセッサ１６１０は、任意のタイプの処理装置、例えばインテル（登録商標）、ＡＭＤ（登録商標）、ＳＵＮ（登録商標）、テキサス・インスツルメンツ（登録商標）、アナログ・デバイセズ（登録商標）製等のプロセッサ群から構成できる。プロセッサ１６１０は、特に図６および図１５の機械可読命令の例を実行して、図１、図２ならびに図４、および／または図３および図１１の光学モニター装置例の一部またはすべてを実現することができる。
【００５６】
プロセッサ１６１０は、バス１６０５を介してメインメモリ（ＲＯＭ１６２０およびＲＡＭ１６２５を含む）と通信する。ＲＡＭ１６２５は、同期ダイナミック・ランダム・アクセスメモリ（ＳＤＲＡＭ）、ダイナミックＤＲＡＭ、および／または他の任意のタイプのＲＡＭデバイスから構成できる。ＲＯＭ１６２０はフラッシュメモリ、および／または他の任意のタイプのメモリ装置から構成できる。メモリ１６２０および１６２５へのアクセスは、一般的には従来の方法でメモリコントローラ（図示せず）によって制御される。
【００５７】
プロセッサ・プラットフォーム１６００はまた、従来のインターフェース回路１６３０を含む。インターフェース回路１６３０は、任意の外部メモリインターフェース、シリアルポート、汎用入出力等で構成できる。
【００５８】
インターフェース回路１６３０には、１つ以上の入力装置１６３５および１つ以上の出力装置１６４０が接続される。入力装置１６３５および出力装置１６４０は、応答者１０５および／またはダウンロードサーバと、図１、図２ならびに図４のモニター装置例、および／または図３および図１１の光学モニター装置例との間のインターフェースの実現に用いることができる。
【００５９】
当然ながら、当業者であれば、システムの各実施例で示すメモリの順序、サイズ、および割合は変更できることが理解できると考える。また本出願は、特にハードウェア上で実行されるソフトウェアまたはファームウェアを含むシステムの実施例を開示しているが、かかるシステムは単に例示であり、本発明を限定するものと考えるべきではない。例えば、これらハードウェアおよびソフトウェア製品の一部またはすべては、ハードウェアのみ、ソフトウェアのみ、ファームウェアのみ、またはハードウェア、ファームウェア、および／またはソフトウェアを組み合わせたものだけで実現できることが企図される。従って、当業者であれば、上述の各実施例はかかるシステムを実現する唯一の方法ではないことが容易に理解できるであろう。
【００６０】
上述した方法および／または装置の実施例のうち、少なくともいくつかの実施例は、コンピュータプロセッサ上で動作する１つ以上のソフトウェアおよび／またはファームウェアプログラムによって実現される。だが、ＡＳＩＣ、プログラマブルロジックアレイ、およびその他のハードウェアデバイス等を含む（ただしこれらに限定するものではない）専用ハードウェアを同様に構成して、本明細書に記載した方法および／または装置の実施例のいくつかまたはすべての実施例全体または一部を実現してもよい。さらに、分散処理、またはコンポーネント／オブジェクト分散処理、パラレル処理、またはバーチャルマシン処理等の他のソフトウェア（ただしこれらに限定するものではない）を構成して、本明細書に記載する方法および／または装置の実施例を実現してもよい。
【００６１】
本明細書に記載するソフトウェアおよび／またはファームウェアの実施例は、任意により、物理的記憶媒体、例えば磁気媒体（ディスクまたはテープ等）、ディスク等の磁気光学または光学媒体、または１つ以上の読み出し専用（不揮発性）メモリ、ランダムアクセスメモリ、またはその他の書き換え可能（揮発性）メモリを収容するメモリカードもしくはその他のパッケージ等の固体媒体に記憶するか、またはコンピュータ命令を含む信号に記憶してもよい。ディジタルファイルの電子メール貼付、またはその他の自蔵情報アーカイブもしくはアーカイブのセットは、物理的記憶媒体と同等の分配媒体とみなすことができる。従って、本明細書に記載したソフトウェアおよび／またはファームウェアの実施例は、上述のような物理的記憶媒体もしくは分配媒体、またはその均等および代用媒体上に記憶できる。
【００６２】
本明細書は、特定の装置、基準、および／またはプロトコルを参照して各コンポーネントおよび機能の例を記載したが、本発明の教示はかかる装置、基準、および／またはプロトコルに限定しないことを理解されたい。例えば、ＲＦＩＤマイクロチップおよび光センサ等は最新技術の一例である。かかるシステムは、一定の周期で、同じく汎用のより高速またはより効率的な装置に取って代わられる。従って、同じく汎用の装置、基準、および／またはプロトコルに取り替えることは、関連の特許請求の範囲内に含まれるものと意図する。
【００６３】
本明細書では、方法、装置、および製造物の例を説明したが、本発明の範囲はこれらに限定するものではない。本発明は、文字通りまたは均等の原則に従って前掲の特許請求の範囲に公正に包含されるすべての方法、装置、および製造物を含むものとする。
【図面の簡単な説明】
【００６４】
【図１】印刷媒体の測定を行う本発明の教示に従って構成されるシステムの一例を示す概略図である。
【図２】印刷媒体の測定を行う本発明の教示に従って構成されるシステムの一例を示す概略図である。
【図３】印刷媒体の測定を行う本発明の教示に従って構成されるシステムの一例を示す概略図である。
【図４】図１および図２のモニター装置例の実現方法を示す概略図である。
【図５Ａ】図１および図２のモニター装置例によって記録される近隣ＲＦＩＤタグのログの一例を示す図である。
【図５Ｂ】図３の光学モニター装置例によって記録されるページ番号ログの一例を示す図である。
【図６】図１および図２のモニター装置例を実現するために実行されうる機械可読命令の一例を示すフローチャートである。
【図７】図１の感光性ＲＦＩＤタグ例を実現する方法の一例を示す概略図である。
【図８Ａ】印刷媒体中のＲＦＩＤタグおよびＲＦＩＤアブソーバの配置例を示す図である。
【図８Ｂ】印刷媒体中のＲＦＩＤタグおよびＲＦＩＤアブソーバの配置例を示す図である。
【図８Ｃ】印刷媒体中のＲＦＩＤタグおよびＲＦＩＤアブソーバの配置例を示す図である。
【図９】印刷媒体中のＲＦＩＤタグおよびＲＦＩＤアブソーバの配置ゾーンの一例を示す図である。
【図１０Ａ】印刷媒体中のＲＦＩＤタグおよびＲＦＩＤアブソーバの配置例を示す図である。
【図１０Ｂ】印刷媒体中のＲＦＩＤタグおよびＲＦＩＤアブソーバの配置例を示す図である。
【図１１】図３の光学モニター装置例を実現する方法の一例を示す概略図である。
【図１２】図３の光学モニター装置例の動作の一例を示す図である。
【図１３】図３の光学モニター装置例の動作の一例を示す図である。
【図１４】図３の光学モニター装置例を用いる方法の一例を示すフローチャートである。
【図１５】図３の光学モニター装置例を実現するために実行されうる機械可読命令の一例を示すフローチャートである。
【図１６】図１および図２のモニター装置例、および／または図３の光学モニター装置例を実現するために、図６および／または図１５に示す機械可読命令の例を実行できるプロセッサ・プラットフォームの一例を示す概略図である。
【図１】
2009507301.tif 000003
【図２】
2009507301.tif 000004
【図３】
2009507301.tif 000005
【図４】
2009507301.tif 000006
【図５Ａ】
2009507301.tif 000007
【図５Ｂ】
2009507301.tif 000008
【図６】
2009507301.tif 000009
【図７】
2009507301.tif 000010
【図８Ａ】
2009507301.tif 000011
【図８Ｂ】
2009507301.tif 000012
【図８Ｃ】
2009507301.tif 000013
【図９】
2009507301.tif 000014
【図１０Ａ】
2009507301.tif 000015
【図１０Ｂ】
2009507301.tif 000016
【図１１】
2009507301.tif 000017
【図１２】
2009507301.tif 000018
【図１３】
2009507301.tif 000019
【図１４】
2009507301.tif 000020
【図１５】
2009507301.tif 000021
【図１６】
2009507301.tif 000022
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
装置であって、
印刷媒体の第１リーフレットの第１位置に接着する第１の無線識別（ＲＦＩＤ）タグと、
前記印刷媒体の第２リーフレットの第２位置に接着する第２のＲＦＩＤタグとを含み、前記第１位置と前記第２位置とはほぼ同位置であり、前記装置はさらに、
前記印刷媒体が前記第１リーフレットと前記第３リーフレットとを露出するように配置されると、前記第２のＲＦＩＤタグが不活性となるよう、さらに、前記印刷媒体が前記第２リーフレットと前記第３リーフレットとを露出するように配置されると、前記第１のＲＦＩＤタグが不活性となるよう、前記印刷媒体の第３リーフレットの第３位置に接着する第１のＲＦＩＤアブソーバを含み、前記装置はさらに、
第４リーフレットに接着する第３のＲＦＩＤタグを含み、前記第１のＲＦＩＤアブソーバが前記第３のＲＦＩＤタグを不活性化しないようにする、装置。
【請求項２】
請求項１に記載の装置であって、前記第１のＲＦＩＤタグおよび前記第２のＲＦＩＤタグと通信するモニター装置をさらに含む装置。
【請求項３】
請求項１に記載の装置であって、前記印刷媒体が前記第４リーフレットと前記第５リーフレットとを露出するように配置されると、前記第３のＲＦＩＤタグが活性となるよう、さらに、前記第２のＲＦＩＤアブソーバが前記第１のＲＦＩＤタグおよび前記第２のＲＦＩＤタグを不活性化できないよう、前記印刷媒体の第５リーフレットの第４位置に接着する第２のＲＦＩＤアブソーバをさらに含む装置。
【請求項４】
請求項１に記載の装置であって、前記第１および第２のＲＦＩＤタグと前記第１のＲＦＩＤアブソーバとは前記印刷媒体の第１ゾーン内に配置され、前記第３のＲＦＩＤタグは前記印刷媒体の第２ゾーン内に配置される装置。
【請求項５】
装置であって、
印刷媒体の第１リーフレットの第１位置に接着する第１の無線識別（ＲＦＩＤ）タグと、
前記印刷媒体の第２リーフレットの第２位置に接着する第２のＲＦＩＤタグとを含み、前記第１位置と前記第２位置とはほぼ同位置であり、前記装置はさらに、
前記印刷媒体が前記第１リーフレットと前記第３リーフレットとを露出するように配置されると、前記第２のＲＦＩＤタグが不活性となるよう、さらに、前記印刷媒体が前記第２リーフレットと前記第３リーフレットとを露出するように配置されると、前記第１のＲＦＩＤタグが不活性となるよう、前記印刷媒体の第３リーフレットの第３位置に接着する第１のＲＦＩＤアブソーバを含み、前記装置はさらに、
前記印刷媒体の前記第２リーフレットに接着する第３のＲＦＩＤタグを含み、前記第１のＲＦＩＤアブソーバは前記第３のＲＦＩＤタグを不活性化できないようにする、装置。
【請求項６】
請求項５に記載の装置であって、前記印刷媒体が前記第２リーフレットと前記第４リーフレットとを露出するように配置されると、前記第３のＲＦＩＤタグが活性となるよう、さらに、前記第２のＲＦＩＤアブソーバが前記第１のＲＦＩＤタグおよび前記第２のＲＦＩＤタグを不活性化しないよう、前記印刷媒体の第４リーフレットの第４位置に接着する第２のＲＦＩＤアブソーバをさらに含む装置。
【請求項７】
請求項５に記載の装置において、前記第１のＲＦＩＤタグと前記第２のＲＦＩＤタグとは前記印刷媒体の第１ゾーン内に配置され、前記第３のＲＦＩＤタグは前記印刷媒体の第２ゾーン内に配置される装置。
【請求項８】
請求項１に記載の装置において、前記第１のＲＦＩＤタグは前記第１リーフレットの前面に接着される装置。
【請求項９】
請求項１に記載の装置において、前記第１のＲＦＩＤアブソーバは前記第３のリーフレット前面に接着される装置。
【請求項１０】
請求項１に記載の装置において、前記第１のＲＦＩＤタグは、印刷可能な上面と接着性の底面とを有するほぼ平坦なパッケージを含み、前記パッケージはさらに、
アンテナと、
識別子と、
ＲＦＩＤ回路とを含む装置。
【請求項１１】
装置であって、
印刷媒体の第１リーフレットの第１位置に接着する第１の無線識別（ＲＦＩＤ）タグと、
前記印刷媒体の第２リーフレットの第２位置に接着する第２のＲＦＩＤタグとを含み、前記第１位置と前記第２位置とはほぼ同位置であり、前記装置はさらに、
前記印刷媒体が前記第１リーフレットと前記第３リーフレットとを露出するように配置されると、前記第２のＲＦＩＤタグが不活性となるよう、さらに、前記印刷媒体が前記第２リーフレットと前記第３リーフレットとを露出するように配置されると、前記第１のＲＦＩＤタグが不活性となるよう、前記印刷媒体の第３リーフレットの第３位置に接着する第１のＲＦＩＤアブソーバを含み、前記第１のＲＦＩＤアブソーバは、前記第３リーフレット上に印刷される導電インクを覆う紙ラベル、または前記第３リーフレットに接着される金属箔の少なくとも一方を含む、装置。
【請求項１２】
請求項１に記載の装置において、前記モニター装置は前記印刷媒体の取り外し可能部分である装置。
【請求項１３】
請求項１に記載の装置において、前記印刷媒体は、雑誌、書籍、定期刊行物、新聞、パンフレット、チラシ、またはニュースレターのうちの少なくとも１つである装置。
【請求項１４】
印刷媒体の測定を行う方法であって、
前記印刷媒体の第１リーフレット上に第１の無線識別（ＲＦＩＤ）タグを配置するステップを含み、前記第１のＲＦＩＤタグは前記第１リーフレットの第１位置に配置され、前記方法はさらに、
前記印刷媒体の第２リーフレット上に第２のＲＦＩＤタグを配置するステップを含み、前記第２のＲＦＩＤタグは前記第２リーフレットの第２位置に配置され、前記第１位置と前記第２位置とはほぼ同位置であり、前記方法はさらに、
前記印刷媒体の第３リーフレット上に第１のＲＦＩＤアブソーバを配置するステップを含み、前記印刷媒体が前記第１リーフレットと前記第３リーフレットとを露出するように開かれると、前記第２のＲＦＩＤタグが不活性となるよう、さらに、前記印刷媒体が前記第２リーフレットと前記第３リーフレットとを露出するように開かれると、前記第１のＲＦＩＤタグが不活性となるよう、前記第１のＲＦＩＤアブソーバが前記第３リーフレット上の第３位置に配置される方法。
【請求項１５】
請求項１４に記載の方法であって、前記第１のＲＦＩＤタグまたは前記第２のＲＦＩＤタグの少なくとも一方が活性で前記印刷媒体の閲覧を判定できる場合に、前記第１およびのＲＦＩＤタグまたは前記第２のＲＦＩＤタグの少なくとも一方と通信するモニター装置を設けるステップをさらに含む方法。
【請求項１６】
請求項１４に記載の方法であって、前記印刷媒体の第４リーフレット上に第３のＲＩＦＤタグを設けるステップをさらに含み、前記第１のＲＦＩＤアブソーバが前記第３のＲＦＩＤタグを不活性化しないよう前記第３のＲＦＩＤタグが前記第４リーフレット上に配置される方法。
【請求項１７】
請求項１６に記載の方法であって、前記印刷媒体の第５リーフレット上に第２のＲＦＩＤアブソーバを配置するステップをさらに含み、前記印刷媒体が前記第４リーフレットと前記第５リーフレットとを露出するように開かれると、前記第３のＲＦＩＤタグが活性となるよう、さらに、前記第２のＲＦＩＤアブソーバが前記第１のＲＦＩＤタグと前記第２のＲＦＩＤタグとを不活性化できないよう、前記第２のＲＦＩＤアブソーバが前記第５リーフレットの第４位置に配置される方法。
【請求項１８】
請求項１４に記載の方法であって、前記印刷媒体の前記第２リーフレット上に第３のＲＦＩＤタグを配置するステップをさらに含み、前記第１のＲＦＩＤアブソーバが前記第３のＲＦＩＤタグを不活性化できないよう前記第３のＲＦＩＤタグが前記第２リーフレット上に配置される方法。
【請求項１９】
請求項１８に記載の方法であって、前記印刷媒体の前記第４リーフレット上に第２のＲＦＩＤアブソーバを配置するステップをさらに含み、前記印刷媒体が前記第２リーフレットと前記第４リーフレットとを露出するように開かれると、前記第３のＲＦＩＤタグが活性となるよう、さらに、前記第２のＲＦＩＤアブソーバが前記第１のＲＦＩＤタグおよび前記第２のＲＦＩＤタグを不活性化しないよう、前記第２のＲＦＩＤアブソーバが前記第４リーフレットの第４位置に配置される方法。
【請求項２０】
請求項１４に記載の方法において、前記第１のＲＦＩＤタグは、印刷可能な上面と接着性の底面とを有するほぼ平坦なパッケージを含み、前記パッケージは、
アンテナと、
識別子と、
ＲＦＩＤ回路とを含む方法。
【請求項２１】
請求項１４に記載の方法において、前記第１のＲＦＩＤアブソーバは、前記第３リーフレット上に印刷される導電インクを覆う紙ラベル、または前記第３リーフレットに接着される金属箔の少なくとも一方を含む方法。
【請求項２２】
請求項１４に記載の方法において、前記モニター装置は前記印刷媒体の取り外し可能な部分である方法。
【請求項２３】
機械可読命令を記憶する製造物であって、前記機械可読命令が実行されると、機械は、
印刷媒体の第１リーフレットに第１の無線識別（ＲＦＩＤ）タグを配置し、前記第１のＲＦＩＤタグは前記第１リーフレットの第１位置に配置され、さらに、
前記印刷媒体の第２リーフレットに第２のＲＦＩＤタグを配置し、前記第２のＲＦＩＤタグは前記第２リーフレットの第２位置に配置され、前記第１位置と前記第２位置とはほぼ同位置であり、さらに、
前記印刷媒体の第３リーフレット上に第１のＲＦＩＤアブソーバを配置し、前記印刷媒体が前記第１リーフレットと前記第３リーフレットとを露出するように開かれると、前記第２のＲＦＩＤタグが不活性となるよう、さらに、前記印刷媒体が前記第２リーフレットと前記第３リーフレットとを露出するように開かれると、前記第１のＲＦＩＤタグが不活性となるよう、前記第１のＲＦＩＤアブソーバが前記第３リーフレットの第３位置に配置される製造物。
【請求項２４】
請求項２３に記載の製造物において、前記機械可読命令が実行されると、前記機械は前記印刷媒体の第４リーフレット上に第３のＲＦＩＤタグを配置し、前記第１のＲＦＩＤアブソーバが前記第３のＲＦＩＤタグを不活性化しないよう前記第３のＲＦＩＤタグが前記第４リーフレット上に配置される製造物。
【請求項２５】
請求項２４に記載の製造物において、前記機械可読命令が実行されると、前記機械は前記印刷媒体の第５リーフレット上に第２のＲＦＩＤアブソーバを配置し、前記印刷媒体が前記第４リーフレットと前記第５リーフレットとを露出するように開かれると、前記第３のＲＦＩＤタグが活性となるよう、さらに、前記第２のＲＦＩＤアブソーバが前記第１のＲＦＩＤタグおよび前記第２のＲＦＩＤタグを不活性化できないよう、前記第２のＲＦＩＤアブソーバが前記第５リーフレットの第４位置に配置される製造物。
【請求項２６】
請求項２３に記載の製造物において、前記機械可読命令が実行されると、前記機械は前記印刷媒体の前記第２リーフレット上に第３のＲＦＩＤタグを配置し、前記第１のＲＦＩＤアブソーバが前記第３のＲＦＩＤタグを不活性化できないよう前記第３のＲＦＩＤタグが前記第２リーフレット上に配置される製造物。
【請求項２７】
請求項２６に記載の製造物において、前記機械可読命令が実行されると、前記機械は前記印刷媒体の第４リーフレット上に第２のＲＦＩＤアブソーバを接着して配置し、前記印刷媒体が前記第２リーフレットと前記第４リーフレットとを露出するように開かれると、前記第３のＲＦＩＤタグが活性となるよう、さらに、前記第２のＲＦＩＤアブソーバが前記第１のＲＦＩＤタグおよび前記第２のＲＦＩＤタグを不活性化しないよう、前記第２のＲＦＩＤアブソーバが前記第４リーフレットの第４位置に配置される製造物。
【請求項２８】
請求項２３に記載の製造物において、前記第１のＲＦＩＤタグは、印刷可能な上面と接着性の底面とを有するほぼ平坦なパッケージを含み、前記パッケージは、
アンテナと、
識別子と、
ＲＦＩＤ回路とをさらに含む製造物。
【請求項２９】
請求項２３に記載の製造物において、前記第１のＲＦＩＤアブソーバは、前記第３リーフレット上に印刷される導電インクを覆う紙ラベル、または前記第３リーフレットに接着される金属箔の少なくとも一方を含む製造物。
【請求項３０】
請求項２３に記載の製造物において、前記モニター装置は印刷媒体の取り外し可能な部分である製造物。
【請求項３１】
印刷媒体の第１リーフレットに取り付けるタグと、
前記印刷媒体内に配置するモニター装置とを含む装置であって、前記モニター装置は前記タグに通信可能に接続され、前記モニター装置は前記印刷媒体の取り外し可能部分に取り付けられ、前記取り外し可能部分は孔で規定され、前記取り外し可能部分はカードを含む装置。
【請求項３２】
請求項３１に記載の装置において、前記モニター装置は前記印刷媒体上に印刷される導電トレースを介して前記タグと通信可能に接続される装置。
【請求項３３】
請求項３２に記載の装置において、前記カードには宛先住所と前納郵便料金が印刷される装置。
【請求項３４】
請求項３１に記載の装置において、前記タグは無線識別（ＲＦＩＤ）装置である装置。
【請求項３５】
請求項３４に記載の装置であって、前記印刷媒体の第２リーフレットに接着して、前記第２リーフレットが前記第１リーフレットに重なると前記ＲＦＩＤタグを阻止するＲＦＩＤアブソーバをさらに含む装置。
【請求項３６】
請求項３４に記載の装置において、前記ＲＦＩＤタグは、印刷可能な上面と接着性の底面とを有するほぼ平坦なパッケージを含み、前記パッケージは、
アンテナと、
識別子と、
ＲＦＩＤ回路とをさらに含む装置。
【請求項３７】
印刷媒体の第１リーフレットに取り付けるタグと、
前記印刷媒体内に配置するモニター装置とを含む装置であって、前記モニター装置は前記タグに通信可能に接続され、前記タグは無線識別（ＲＦＩＤ）装置であり、前記ＲＦＩＤタグは、前記ＲＦＩＤタグが光源に露出すると前記ＲＦＩＤ回路の動作を可能化する感光性装置をさらに含む、装置。
【請求項３８】
印刷媒体の第１リーフレットに取り付けるタグと、
前記印刷媒体内に配置するモニター装置とを含む装置であって、前記モニター装置は前記タグに通信可能に接続され、前記タグは、
前記モニター装置と通信する回路と、
印刷可能な上面と接着性の底面とを有するほぼ平坦なパッケージとを含み、前記接着性の底面は前記回路のインターフェースを導電トレースに接続する、装置。
【請求項３９】
請求項３８に記載の装置において、前記タグは、前記タグが光源に露出すると前記回路の動作を可能化する感光性装置をさらに含む装置。
【請求項４０】
請求項３１に記載の装置であって、前記印刷媒体の第２リーフレットに取り付けるアブソーバをさらに含み、前記アブソーバは、前記第２リーフレットが前記第１リーフレットに重なると前記タグの動作を阻止する装置。
【請求項４１】
請求項３１に記載の装置において、前記印刷媒体は、雑誌、書籍、定期刊行物、新聞、パンフレット、チラシ、もしくはニュースレターのうちの少なくとも１つである装置。
【請求項４２】
印刷媒体の測定を行う方法であって、
前記印刷媒体の第１リーフレットにタグを接着するステップと、
前記印刷媒体内に取り外し可能なモニター装置を設置して前記タグと通信させるステップとを含み、前記モニター装置は前記印刷媒体の取り外し可能部分に取り付けられ、前記取り外し可能部分には宛先住所と前納郵便料金とが印刷される、方法。
【請求項４３】
請求項４２に記載の方法であって、前記印刷媒体上に導電トレースを印刷して、前記モニター装置を前記タグに通信可能に接続するステップをさらに含む方法。
【請求項４４】
印刷媒体の測定を行う方法であって、
前記印刷媒体の第１リーフレットにタグを接着するステップと、
前記印刷媒体内に取り外し可能なモニター装置を設置して前記タグと通信させるステップと含み、前記モニター装置は前記印刷媒体の取り外し可能部分に取り付けられ、前記取り外し可能部分は孔によって規定され、前記取り外し可能部分はカードを含む、方法。
【請求項４５】
請求項４４に記載の方法において、前記取り外し可能部分には宛先住所と前納郵便料金とが印刷される方法。
【請求項４６】
請求項４２に記載の方法において、前記タグは無線識別（ＲＦＩＤ）装置である方法。
【請求項４７】
請求項４６に記載の方法であって、前記印刷媒体の第２リーフレットにＲＦＩＤアブソーバを取り付けて、前記第２リーフレットが前記第１リーフレットに重なると前記ＲＦＩＤタグの動作を阻止するステップをさらに含む方法。
【請求項４８】
請求項４６に記載の方法において、前記ＲＦＩＤタグは印刷可能な上面を有するほぼ平坦なパッケージを含み、前記パッケージは、
アンテナと、
識別子と、
ＲＦＩＤ回路とをさらに含む方法。
【請求項４９】
印刷媒体の測定を行う方法であって、
前記印刷媒体の第１リーフレットにタグを接着するステップと、
前記印刷媒体内に取り外し可能なモニター装置を設置して前記タグと通信するステップとを含み、前記タグは無線識別（ＲＦＩＤ）装置であり、前記ＲＦＩＤタグは印刷可能な上面を有するほぼ平坦なパッケージを含み、前記パッケージは、
アンテナと、
識別子と、
ＲＦＩＤ回路とをさらに含み、
前記ＲＦＩＤタグは、前記ＲＦＩＤタグが光源に露出すると前記ＲＦＩＤ回路の動作を可能化する感光性装置をさらに含む、方法。
【請求項５０】
印刷媒体の測定を行う方法であって、
前記印刷媒体の第１リーフレットにタグを接着するステップと、
前記印刷媒体内に取り外し可能なモニター装置を設置して前記タグと通信するステップとを含み、前記タグは、
前記モニター装置と通信する回路と、
印刷可能な上面と接着性の底面とを有するほぼ平坦なパッケージとを含み、前記接着性の底面は前記回路のインターフェースを導電トレースに接続する方法。
【請求項５１】
請求項５０に記載の方法において、前記タグは、前記タグが光源に露出すると前記回路の動作を可能化する感光性装置をさらに含む方法。
【請求項５２】
請求項４２に記載の方法であって、前記印刷媒体の第２リーフレットにアブソーバを接着するステップをさらに含み、前記アブソーバは、前記第２リーフレットが前記第１リーフレットに重なると前記タグの動作を阻止する方法。
【請求項５３】
機械可読命令を記憶する製造物であって、前記機械可読命令が実行されると、機械は、
前記印刷媒体の第１リーフレットにタグを接着し、
前記印刷媒体内に取り外し可能なモニター装置を設置して前記タグと通信し、前記機械可読命令が実行されると、前記機械は前記カード上に宛先住所と前納郵便料金とを印刷する製造物。
【請求項５４】
請求項５３に記載の製造物において、前記機械可読命令が実行されると、前記機械は前記印刷媒体上に導電トレースを印刷して、前記モニター装置を前記タグに通信可能に接続する製造物。
【請求項５５】
機械可読命令を記憶する製造物であって、前記機械可読命令が実行されると、機械は、
前記印刷媒体の第１リーフレットにタグを接着し、
前記印刷媒体内に取り外し可能なモニター装置を設置して前記タグと通信し、前記機械可読命令が実行されると、前記機械は前記印刷媒体の取り外し可能部分にモニター装置を取り付け、前記取り外し可能部分を孔で規定し、前記取り外し可能部分はカードを含む製造物。
【請求項５６】
請求項５３に記載の製造物において、前記タグは無線識別（ＲＦＩＤ）装置である製造物。
【請求項５７】
請求項５６に記載の製造物において、前記機械可読命令が実行されると、前記機械は前記印刷媒体の第２リーフレットにＲＦＩＤアブソーバを取り付けて、前記第２リーフレットが前記第１リーフレットに重なると、前記ＲＦＩＤタグの動作を阻止する製造物。
【請求項５８】
請求項５６に記載の製造物において、前記ＲＦＩＤタグは印刷可能な上面を有するほぼ平坦なパッケージを含み、前記パッケージは、
アンテナと、
識別子と、
ＲＦＩＤ回路とをさらに含む製造物。
【請求項５９】
請求項５８に記載の製造物において、前記ＲＦＩＤタグは、前記ＲＦＩＤタグが光源に露出すると前記ＲＦＩＤ回路の動作を可能化する感光性装置をさらに含む製造物。
【請求項６０】
機械可読命令を記憶する製造物であって、前記機械可読命令が実行されると、機械は、
前記印刷媒体の第１リーフレットにタグを接着し、
前記印刷媒体内に取り外し可能なモニター装置を設置して前記タグと通信し、前記タグは、
前記モニター装置と通信する回路と、
印刷可能な上面と接着性の底面とを有するほぼ平坦なパッケージとを含み、前記接着性の底面は前記回路のインターフェースを導電トレースに接続する製造物。
【請求項６１】
請求項６０に記載の製造物であって、前記タグは、前記タグが光源に露出すると前記回路の動作を可能化する感光性装置をさらに含む製造物。
【請求項６２】
請求項５３に記載の製造物において、前記機械可読命令が実行されると、前記機械は前記印刷媒体の第２リーフレットにアブソーバを接着し、前記アブソーバは、前記第２リーフレットが前記第１リーフレットに重なると前記タグの動作を阻止する製造物。
【請求項６３】
印刷媒体とともに使用する光学モニター装置であって、
前記印刷媒体のページの閲覧を記録する光センサと、
前記光センサを前記印刷媒体に取り外し可能に設置する機械的ファスナと、
前記印刷媒体の閲覧を検出する加速度計とを含む装置。
【請求項６４】
印刷媒体とともに使用する光学モニター装置であって、
前記印刷媒体のページの閲覧を検出する光センサと、
前記光センサを前記印刷媒体に取り外し可能に設置する機械的ファスナとを含み、前記機械的ファスナは前記印刷媒体の背または綴じ部の少なくとも一方に取り付けられる装置。
【請求項６５】
印刷媒体とともに使用する光学モニター装置であって、
前記印刷媒体のページの閲覧を検出する光センサと、
前記光センサを前記印刷媒体に取り外し可能に設置する機械的ファスナとを含み、前記機械的ファスナはフォークまたはクリップの少なくとも一方を含む、装置。
【請求項６６】
請求項６５に記載の光学モニター装置において、前記フォークまたはクリップの少なくとも一方は、前記印刷媒体の厚さに適応するように調節可能である装置。
【請求項６７】
印刷媒体とともに使用する光学モニター装置であって、
前記印刷媒体のページの閲覧を記録する光センサと、
前記光センサを前記印刷媒体に取り外し可能に設置する機械的ファスナとを含み、
前記光センサは、
反射した周囲光を前記光センサに集光するレンズと、
２枚のリーフレット間の最大間隔を特定し、前記特定した間隔の一方側までのリーフレット枚数を計数するプロセッサとをさらに含む装置。
【請求項６８】
請求項６７に記載の光学モニター装置であって、
前記カウントに関連付けられる時間を求める時計と、
前記カウントと時間とを記憶するメモリと、
電池とをさらに含む装置。
【請求項６９】
印刷媒体とともに使用する光学モニター装置であって、
前記印刷媒体のページの閲覧を記録する光センサと、
前記光センサを前記印刷媒体に取り外し可能に設置する機械的ファスナとを含み、前記光センサは前記印刷媒体の汎用製品コード（ＵＰＣ）を読み出すように配置される装置。
【請求項７０】
印刷媒体の測定を行う方法であって、
前記印刷媒体のエッジ画像を取得するステップと、
前記画像に基づいて閲覧ページを特定するステップとを含み、前記閲覧ページを特定するステップは、
最大間隔を求めるステップと、
前記最大間隔の一方側までのリーフレット枚数を計数するステップとを含む、方法。
【請求項７１】
請求項７０に記載の方法において、前記印刷媒体のエッジは前記印刷媒体の頂部エッジである方法。
【請求項７２】
印刷媒体の測定を行う方法であって、
前記印刷媒体のエッジの画像を取得するステップと、
前記画像に基づいて閲覧ページを特定するステップと、
前記画像の表示に関連付けられる時刻を求めるステップと、
前記特定した閲覧ページと前記時刻とをログに記憶するステップとを含む、方法。
【請求項７３】
印刷媒体の測定を行う方法であって、
前記印刷媒体のエッジ画像を取得するステップと、
前記画像に基づいて閲覧ページを特定するステップと、
前記印刷媒体から汎用製品コード（ＵＰＣ）を読み出すステップと、
前記ＵＰＣをログに記憶するステップとを含む、方法。
【請求項７４】
印刷媒体の測定を行う方法であって、
前記印刷媒体のエッジ画像を取得するステップと、
前記画像に基づいて閲覧ページを特定するステップと、
前記印刷媒体の動きの開始を判定するステップをさらに含み、
前記画像を取得するステップと、前記閲覧ページを特定するステップとは、前記動きの開始を判定するステップに応答して行われる、方法。
【請求項７５】
機械可読命令を記憶する製造物であって、前記機械可読命令が実行されると、機械は、
前記印刷媒体のエッジ画像を取得し、
前記画像に基づいて閲覧ページを特定し、前記機械可読命令が実行されると、前記機械は、
前記印刷媒体の動きの開始を判定し、
前記動きの開始の判定に応答して前記閲覧ページの画像を取得し特定する、製造物。
【請求項７６】
請求項７５に記載の製造物において、前記印刷媒体のエッジは前記印刷媒体の頂部エッジである製造物。
【請求項７７】
機械可読命令を記憶する製造物であって、前記機械可読命令が実行されると、機械は、
前記印刷媒体のエッジ画像を取得し、
前記画像に基づいて閲覧ページを特定し、前記機械可読命令が実行されると、前記機械は、
最大間隔を判定し、
前記最大間隔の一方側までのリーフレット枚数を計数することによって、前記閲覧ページを特定する、製造物。
【請求項７８】
機械可読命令を記憶する製造物であって、前記機械可読命令が実行されると、機械は、
前記印刷媒体のエッジ画像を取得し、
前記画像に基づいて閲覧ページを特定し、前記機械可読命令が実行されると、前記機械は、
前記画像の表示に関連付けられる時刻を求め、
前記特定した閲覧ページと前記時刻とをログに記憶する、製造物。
【請求項７９】
機械可読命令を記憶する製造物であって、前記機械可読命令が実行されると、機械は、
前記印刷媒体のエッジの画像を取得し、
前記画像に基づいて閲覧ページを特定し、前記機械命令が実行されると、前記機械は、
前記印刷媒体から汎用製品コード（ＵＰＣ）を読み出し、
前記ＵＰＣをログに記憶する、製造物。
【国際調査報告】
2009507301.tif 000023